(57)【要約】【課題】液体収容容器の液体量の確認作業が困難になることを抑制する。【解決手段】液体収容容器では、前記液体を収容する収容室が内部に設けられ、先端壁部、後端壁部、上面壁部を含む複数の壁部を有する容器本体と、前記液体消費装置に接続されて、前記収容室の前記液体を前記液体消費装置に流出させる液体出口と、前記上面壁部において、前記後端壁部に寄った位置に設けられ、前記容器本体の外部から前記収容室への前記液体の注入を受け入れる液体入口と、前記後端壁部に設けられ、前記収容室に収容されている前記液体の液面の位置を、前記容器本体の外部から視認できるように透過する視認部と、を備える。前記後端壁部には、前記収容室に収容されている前記液体の量の目安となる目盛の少なくとも一部が、前記視認部における前記収容室の外側の外壁面と前記収容室の内側の内壁面とにそれぞれ設けられている。【選択図】図１８
2019018367.tif 000002
【特許請求の範囲】
【請求項１】
液体を消費する液体消費装置に供給される前記液体を収容し、前記液体消費装置に対して、重力方向に交差する挿入方向に挿入されて装着される液体収容容器であって、
前記液体を収容する収容室が内部に設けられ、前記収容室に対して前記挿入方向側に位置する先端壁部と、前記挿入方向において前記収容室を挟んで前記先端壁部とは反対側に位置し、前記収容室に面している後端壁部と、前記先端壁部と前記後端壁部とに交差し、前記液体収容容器が前記液体消費装置に装着された装着状態において前記収容室の上方に位置する上面壁部と、を含む複数の壁部を有する容器本体と、
前記装着状態において前記液体消費装置に接続されて、前記収容室の前記液体を前記液体消費装置に流出させる液体出口と、
前記上面壁部において、前記先端壁部よりも前記後端壁部に寄った位置に設けられ、前記収容室に連通し、前記容器本体の外部から前記収容室への前記液体の注入を受け入れる液体入口と、
前記後端壁部に設けられ、前記収容室に収容されている前記液体の液面の位置を、前記容器本体の外部から視認できるように透過する視認部と、
を備え、
前記後端壁部には、前記収容室に収容されている前記液体の量の目安となる目盛の少なくとも一部が、前記視認部における前記収容室の外側の外壁面と前記収容室の内側の内壁面とにそれぞれ設けられている、液体収容容器。
【請求項２】
請求項１記載の液体収容容器であって、
前記上面壁部の外壁面には、前記液体入口からこぼれた前記液体を受け入れる液体受部が、前記液体入口の周囲の凹部として設けられている、液体収容容器。
【請求項３】
請求項２記載の液体収容容器であって、
前記液体受部には、前記前記液体受部内の空間を複数に仕切る液体受部仕切壁が設けられている、液体収容容器。
【請求項４】
請求項１から請求項３のいずれか一項に記載の液体収容容器であって、さらに、
前記上面壁部に対して回動可能に連結され、前記上面壁部に対して回動して、前記液体入口を開閉する蓋部材を備え、
前記蓋部材は、前記液体入口を覆って前記液体入口を閉塞する状態と、前記液体入口から離れて前記液体入口を開放する状態と、をとる封止面を有する、液体収容容器。
【請求項５】
請求項４記載の液体収容容器であって、
前記上面壁部には、前記液体入口の周囲を囲み、上方に突起する入口周囲壁部が設けられ、
前記封止面には、前記入口周囲壁部の上端面に当接して、前記液体入口をシールするシール部材が配置されている、液体収容容器。
【請求項６】
請求項４または請求項５記載の液体収容容器であって、
前記上面壁部には、前記液体入口が開放されている状態が維持されるように、前記蓋部材を、前記上面壁部に対して傾斜した状態で支持するストッパー部が設けられている、液体収容容器。
【請求項７】
請求項２に従属する請求項４から請求項６のいずれか一項に記載の液体収容容器であっって、
前記封止面の前記上面壁部側の端部には、前記封止面から突出している突起部が設けられ、
前記突起部には、前記突起部が突出している突出方向に沿って延び、前記蓋部材の回動軸側に底部を有する溝部が形成されており、
前記蓋部材を前記液体入口に向かって回動させている間に、前記溝部は、前記溝部の前記突出方向の先に前記液体受部が位置する状態をとる、液体収容容器。
【請求項８】
請求項１から請求項７のいずれか一項に記載の液体収容容器であって、
前記上面壁部には、前記液体入口と前記後端壁部との間に、上方に突起する凸壁部が形成されている、液体収容容器。
【請求項９】
請求項４に従属する請求項８記載の液体収容容器であって、
前記蓋部材は、
前記封止面に設けられ、前記蓋部材が前記液体入口を閉塞したときに、前記凸壁部を受け入れる封止面側凹部と、
前記封止面とは反対の外面に設けられ、前記封止面側凹部を内部に包含し、前記蓋部材を開閉する際に、ユーザーが指を掛ける外面凸部と、
を有する、液体収容容器。
【請求項１０】
請求項８または請求項９記載の液体収容容器であって、
前記凸壁部の上端部に設けられ、前記液体入口に前記液体を注入する際に用いられる液体注入用具の一部を受け入れて支持する第１支持凹部と、
前記後端壁部と前記上面壁部の間の角部に設けられ、前記液体注入用具の一部を受け入れて支持する第２支持凹部と、
を有する、液体収容容器。
【請求項１１】
請求項１から請求項１０のいずれか一項に記載の液体収容容器であって、
前記収容室には、前記液体入口の前記挿入方向側に、前記収容室の上面側から底面に向かって垂下している内壁部が設けられており、前記内壁部の下端は、前記収容室の前記上面と前記底面との間に位置している、液体収容容器。
【請求項１２】
請求項１１記載の液体収容容器において、
前記挿入方向と、前記収容室の前記上面から前記底面に向かう方向と、に交差する方向における前記内壁部の両端は、前記収容室の内壁面に連結されており、
前記内壁部の下端には、前記内壁部の壁面から突起している端部凸部が設けられている、液体収容容器。
【請求項１３】
請求項１１または請求項１２記載の液体収容容器であって、
前記内壁部は、前記上面に連結されている上端を有し、
前記内壁部の前記上端には、前記内壁部を挟んで隣り合う前記収容室の２つの領域を互いに連通させる連通部が設けられている、液体収容容器。
【請求項１４】
請求項１から請求項１３のいずれか一項に記載の液体収容容器であって、
前記後端壁部の前記収容室側の内壁面には、前記目盛を構成する複数のリブが、前記装着状態において上下に配列されている、液体収容容器。
【請求項１５】
請求項１から請求項１４のいずれか一項に記載の液体収容容器であって、
前記目盛のうち前記収容室に収容される前記液体の量の下限を示す下限目盛が、前記後端壁部の前記外壁面と前記内壁面の両方に設けられている、液体収容容器。
【請求項１６】
請求項１から請求項１５のいずれか一項に記載の液体収容容器であって、
前記容器本体は、前記先端壁部と前記後端壁部とに交差し、前記収容室を挟んで前記上面壁部と対向する底面壁部を有し、
前記底面壁部には、ユーザーが前記液体消費装置に対して前記液体収容容器を着脱する際に、前記ユーザーが手を掛ける手掛け部が設けられている、液体収容容器。
【請求項１７】
請求項１から請求項１６のいずれか一項に記載の液体収容容器であって、
前記液体消費装置は、複数の前記液体収容容器が前記挿入方向に交差する方向に配列された状態で並列に装着されるように構成されており、
前記液体収容容器における前記後端壁部側の端部には、前記装着状態にある前記液体収容容器と、前記液体消費装置に装着されている他の液体収容容器と、を連結する連結部が設けられている、液体収容容器。
【請求項１８】
請求項１７に記載の液体収容容器であって、
前記液体消費装置に取り付けられたときに、前記液体消費装置の駆動が許容され、前記液体消費装置から取り外されたときに、前記液体消費装置の駆動が禁止されるキー部材を備える前記液体消費装置に装着され、
前記連結部の連結状態は、前記液体消費装置から取り外された前記キー部材によって解除される、液体収容容器。
【発明の詳細な説明】
【技術分野】
【０００１】
本発明は、液体収容容器に関する。
【背景技術】
【０００２】
液体消費装置の一態様として、液体としてインクを消費して印刷処理を実行するインクジェットプリンター（以下、単に「プリンター」と呼ぶ。）が知られている。プリンターには、通常、プリンターに供給されるインクを収容する液体収容容器であるインクカートリッジ（以下、単に「カートリッジ」と呼ぶ。）が装着される（例えば、下記特許文献１）。カートリッジには、カートリッジ内のインクの残量をユーザーに視認させるための目盛と、ユーザーによるインクの注入を受け入れる液体入口である注入口と、を有するものがある。
【先行技術文献】
【特許文献】
【０００３】
【特許文献１】特開２０１６−２２７２６号公報
【発明の概要】
【発明が解決しようとする課題】
【０００４】
上記特許文献１のカートリッジでは、インクの注入口の下方の壁面に目盛が設けられている（特許文献１の図１３参照）。そのため、注入口へのインクの注入の際に、注入口からこぼれたインクが目盛に付着して、目盛の視認性が低下してしまう場合があった。また、外壁面に目盛が設けられている場合には、当該目盛の摩耗によって、その視認性が低下してしまう場合があった。目盛の視認性が低下すると、ユーザーによるカートリッジに収容されているインク量の確認作業が困難になる可能性がある。こうした課題は、インクジェットプリンターのカートリッジに限らず、液体消費装置に供給される液体を収容する液体収容容器に共通する課題である。
【課題を解決するための手段】
【０００５】
本発明は、上述の課題の少なくとも一部を解決するためになされたものであり、以下の形態として実現することが可能である。
【０００６】
［１］本発明の一形態によれば、液体を消費する液体消費装置に供給される前記液体を収容し、前記液体消費装置に対して、重力方向に交差する挿入方向に挿入されて装着される液体収容容器が提供される。この形態の液体収容容器は、前記液体を収容する収容室が内部に設けられ、前記収容室に対して前記挿入方向側に位置する先端壁部と、前記挿入方向において前記収容室を挟んで前記先端壁部とは反対側に位置し、前記収容室に面している後端壁部と、前記先端壁部と前記後端壁部とに交差し、前記液体収容容器が前記液体消費装置に装着された装着状態において前記収容室の上方に位置する上面壁部と、を含む複数の壁部を有する容器本体と；前記装着状態において前記液体消費装置に接続されて、前記収容室の前記液体を前記液体消費装置に流出させる液体出口と；前記上面壁部において、前記先端壁部よりも前記後端壁部に寄った位置に設けられ、前記収容室に連通し、前記容器本体の外部から前記収容室への前記液体の注入を受け入れる液体入口と；前記後端壁部に設けられ、前記収容室に収容されている前記液体の液面の位置を、前記容器本体の外部から視認できるように透過する視認部と、を備える。前記後端壁部には、前記収容室に収容されている前記液体の量の目安となる目盛の少なくとも一部が、前記視認部における前記収容室の外側の外壁面と前記収容室の内側の内壁面とにそれぞれ設けられている。
この形態の液体収容容器によれば、目盛の少なくとも一部が内壁面側と外壁面側の両方に設けられているため、内壁面側と外壁面側のいずれかに不具合が生じたとしても、ユーザーが液量の確認をできなくなってしまう状態に陥ることが抑制される。よって、ユーザーによる液体収容容器に収容されている液体量の確認作業が困難になることを抑制できる。
【０００７】
［２］上記形態の液体収容容器において、前記上面壁部の外壁面には、前記液体入口からこぼれた前記液体を受け入れる液体受部が、前記液体入口の周囲の凹部として設けられてよい。
この形態の液体収容容器によれば、液体入口からこぼれた液体が液体受部に受け止められる。そのため、液体入口からこぼれた液体が後端壁部の視認部まで伝っていき、目盛の視認性が低下してしまうことが抑制される。
【０００８】
［３］上記形態の液体収容容器において、前記液体受部には、前記液体受部内の空間を複数に仕切る液体受部仕切壁が設けられてよい。
この形態の液体収容容器によれば、液体受部仕切壁によって、液体受部内での液体の流動が抑制されるため、液体受部から液体がこぼれることが抑制される。よって、液体入口からこぼれた液体が後端壁部の視認部に付着してしまうことが、さらに抑制される。
【０００９】
［４］上記形態の液体収容容器は、さらに、前記上面壁部に対して回動可能に連結され、前記上面壁部に対して回動して、前記液体入口を開閉する蓋部材を備え、前記蓋部材は、前記液体入口を覆って前記液体入口を閉塞する状態と、前記液体入口から離れて前記液体入口を開放する状態と、をとる封止面を有してよい。
この形態の液体収容容器によれば、蓋部材によって、液体入口から液体がこぼれてしまうことが抑制される。よって、液体入口からこぼれた液体が後端壁部の視認部に付着して、目盛の視認性が低下してしまうことが抑制される。
【００１０】
［５］上記形態の液体収容容器において、前記上面壁部には、前記液体入口の周囲を囲み、上方に突起する入口周囲壁部が設けられ、前記封止面には、前記入口周囲壁部の上端面に当接して、前記液体入口をシールするシール部材が配置されてよい。
この形態の液体収容容器によれば、蓋部材のシール部材によって、液体入口からの液体の漏洩がさらに抑制される。従って、液体入口からこぼれた液体による目盛の視認性の低下が、さらに抑制される。
【００１１】
［６］上記形態の液体収容容器において、前記上面壁部には、前記液体入口が開放されている状態が維持されるように、前記蓋部材を、前記上面壁部に対して傾斜した状態で支持するストッパー部が設けられてよい。
この形態の液体収容容器によれば、ユーザーによる液体入口への液体の注入作業の際に、蓋部材が邪魔になることが抑制される。よって、ユーザーは、液体の注入作業の際に誤って液体をこぼしてしまうことが抑制され、こぼれた液体による目盛の視認性の低下が抑制される。また、ユーザーが液体入口を閉塞しようとするときに、蓋部材が傾斜した状態にあるため、ユーザーが蓋部材を持ち上げやすい。よって、ユーザーによる液体入口の閉塞操作が容易化される。
【００１２】
［７］上記形態の液体収容容器において、前記封止面の前記上面壁部側の端部には、前記封止面から突出している突起部が設けられ、前記突起部には、前記突起部が突出している突出方向に沿って延び、前記蓋部材の回動軸側に底部を有する溝部が形成されており、前記蓋部材を前記液体入口に向かって回動させている間に、前記溝部は、前記溝部の前記突出方向の先に前記液体受部が位置する状態をとってよい。
この形態の液体収容容器によれば、蓋部材の封止面に付着している液体を、突起部の溝部を伝わせて、液体受部へと誘導することができる。よって、蓋部材の封止面に付着した液体が後端壁部へと伝って視認部に付着し、目盛の視認性が低下してしまうことが抑制される。
【００１３】
［８］上記形態の液体収容容器において、前記上面壁部には、前記液体入口と前記後端壁部との間に、上方に突起する凸壁部が形成されてよい。
この液体収容容器によれば、ユーザーによる液体入口への液体の注入作業において、液滴が後端壁部へと飛散してしまうことが凸壁部によって抑制される。よって、後端壁部に液体が付着し、目盛の視認性が低下してしまうことが抑制される。
【００１４】
［９］上記形態の液体収容容器において、前記蓋部材は、前記封止面に設けられ、前記蓋部材が前記液体入口を閉塞したときに、前記凸壁部を受け入れる封止面側凹部と、前記封止面とは反対の外面に設けられ、前記封止面側凹部を内部に包含し、前記蓋部材を開閉する際に、ユーザーが指を掛ける外面凸部と、を有してよい。
この形態の液体収容容器によれば、外面凸部が設けられていることによって、ユーザーによる蓋部材の開閉操作が円滑化される。また、凸壁部を、蓋部材によって液体入口を閉じるときの蓋部材の位置決めの基準とすることができるため、ユーザーによる蓋部材の開閉操作が容易化される。
【００１５】
［１０］上記形態の液体収容容器において、前記凸壁部の上端部に設けられ、前記液体入口に前記液体を注入する際に用いられる液体注入用具の一部を受け入れて支持する第１支持凹部と、前記後端壁部と前記上面壁部の間の角部に設けられ、前記液体注入用具の一部を受け入れて支持する第２支持凹部と、を有してよい。
この液体収容容器によれば、液体注入用具が第１支持凹部と第２支持凹部との支持されるため、ユーザーによる液体入口への液体の注入作業において、液体注入用具の姿勢が不安定になって液体がこぼれてしまうことが抑制される。よって、液体入口からこぼれた液体に起因する目盛の視認性の低下がさらに抑制される。
【００１６】
［１１］上記形態の液体収容容器において、前記収容室には、前記液体入口の前記挿入方向側に、前記収容室の上面側から底面に向かって垂下している内壁部が設けられており前記内壁部の下端は、前記収容室の前記上面と前記底面との間に位置してよい。
この形態の液体収容容器によれば、液体入口から注がれた液体を内壁部に伝わせて、収容室の底面へと誘導することができる。よって、液体入口から注がれた液体によって、収容室内の液体が泡立つことが抑制され、視認部から視認される液面の位置が不鮮明になってしまうことが抑制される。
【００１７】
［１２］上記形態の液体収容容器において、前記挿入方向と、前記収容室の前記上面から前記底面に向かう方向と、に交差する方向における前記内壁部の両端は、前記収容室の内壁面に連結されており、前記内壁部の下端には、前記内壁部の壁面から突起している端部凸部が設けられてよい。
この形態の液体収容容器によれば、内壁部が収容室内の補強リブとして機能するため、液体収容容器の強度が高められる。また、端部凸部において、内壁部と収容室の内壁面との連結部が拡大されるため、収容室の内壁面に対する内壁部の固定性が高められ、内壁部の補強リブとしての機能がより一層高められている。端部凸部が、内壁部の壁面から挿入方向とは反対側に突起している場合には、端部凸部によって、内壁部を伝って流れる液体の勢いを削ぐことができる。そのため、液体入口から液体が注がれることによって収容室内の液体が泡立つことが抑制され、視認部を介した液面の位置が不鮮明になってしまうことが抑制される。加えて、内壁部を伝った液体が、勢いよく液面に到達してしまうことが抑制されるため、液体注入作業の際の液滴の発生が抑制される。よって、そうした液滴の視認部への付着による目盛の視認性の低下が抑制される。
【００１８】
［１３］上記形態の液体収容容器において、前記内壁部は、前記上面に連結されている上端を有し、前記内壁部の前記上端には、前記内壁部を挟んで隣り合う前記収容室の２つの領域を互いに連通させる連通部が設けられてよい。
この形態の液体収容容器によれば、液体入口から液体が注入される際に、収容室内の空気を、連通部を通じて液体入口から逃がすことができる。よって、液体収容容器への液体の注入作業がより円滑化され、液体注入作業中の視認部を通じた液面の位置の確認が容易化される。
【００１９】
［１４］上記形態の液体収容容器において、前記後端壁部の前記収容室側の内壁面には、前記目盛を構成する複数のリブが、前記装着状態において上下に配列されてよい。
この形態の液体収容容器によれば、目盛を構成するリブの周りが、収容室に収容されている液体に浸漬されることによって、収容室の外からの当該リブの視認性が高められる。
【００２０】
［１５］上記形態の液体収容容器において、前記目盛のうち前記収容室に収容される前記液体の量の下限を示す下限目盛が、前記後端壁部の前記外壁面と前記内壁面の両方に設けられてよい。
この形態の液体収容容器によれば、下限位置を示す目盛の視認性の低下が抑制されるため、液体収容容器の液体が不足してしまう状態に陥ることが抑制される。
【００２１】
［１６］上記形態の液体収容容器において、前記容器本体は、前記先端壁部と前記後端壁部とに交差し、前記収容室を挟んで前記上面壁部と対向する底面壁部を有し、前記底面壁部には、ユーザーが前記液体消費装置に対して前記液体収容容器を着脱する際に、前記ユーザーが手を掛ける手掛け部が設けられてよい。
この形態の液体収容容器によれば、手掛け部によって液体消費装置に対する液体収容容器の着脱操作が容易化される。また、手掛け部が底面壁部に設けられているため、視認部の形成領域と手掛け部の形成領域とが干渉してしまうことが抑制されている。よって、手掛け部を設けても、視認部の形成領域を大きくとることができ、視認部の視認性の低下が抑制される。
【００２２】
［１７］上記形態の液体収容容器において、前記液体消費装置は、複数の前記液体収容容器が前記挿入方向に交差する方向に並列に配列された状態で装着されるように構成されており、前記液体収容容器における前記後端壁部側の端部には、前記装着状態にある前記液体収容容器と、前記液体消費装置に装着されている他の液体収容容器と、を連結する連結部が設けられてよい。
この形態の液体収容容器によれば、液体消費装置から一部の液体収容容器のみが抜き取られてしまうことを抑制することができる。
【００２３】
［１８］上記形態の液体収容容器において、前記液体消費装置は、前記液体消費装置に取り付けられたときに、前記液体消費装置の駆動が許容され、前記液体消費装置から取り外されたときに、前記液体消費装置の駆動が禁止されるキー部材を備え、前記連結部の連結状態は、前記液体消費装置から取り外された前記キー部材によって解除されてよい。
この形態の液体収容容器によれば、液体消費装置から液体収容容器を抜き取る際に、誤って液体消費装置が駆動してしまうことが抑制される。
【００２４】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００２５】
本発明は、液体収容容器以外の種々の形態で実現することも可能である。例えば、液体収容容器を備える液体消費装置や、液体収容容器の装着に適した液体消費装置、液体収容容器に用いられる容器本体、ユーザーの液体収容容器の液体量を視認させる方法、液体収容容器における液体の量を示す目盛構造等の形態で実現することができる。
【図面の簡単な説明】
【００２６】
【図１】液体消費装置の構成を示す概略斜視図。
【図２】第１実施形態の液体収容容器の第１の概略斜視図。
【図３】第１実施形態の液体収容容器の第２の概略斜視図。
【図４】第１実施形態の液体収容容器の第３の概略斜視図。
【図５】第１実施形態の液体収容容器の概略平面図。
【図６】第１実施形態の液体収容容器の概略側面図。
【図７】第１実施形態の液体収容容器の概略底面図。
【図８】第１実施形態の液体収容容器の概略正面図。
【図９】第１実施形態の液体収容容器の概略背面図。
【図１０】第１実施形態の液体収容容器の概略分解斜視図。
【図１１】開口筐体部材の概略側面図。
【図１２】フィルム部材が溶着された開口筐体部材を示す概略斜視図。
【図１３】収容室の底面を示す開口筐体部材の概略断面図。
【図１４】開口筐体部材の概略底面図。
【図１５】フィルター室の概略断面図。
【図１６】開口筐体部材の端部を下方から見たときの概略斜視図。
【図１７】第１壁部の概略断面図。
【図１８】液体収容容器の第２端部側を示す概略斜視図。
【図１９】液体収容容器の第２端部側を示す概略側面図。
【図２０】液体収容容器の第２端部側を示す概略平面図。
【図２１】液体収容容器の第２端部側の概略断面図。
【図２２】蓋部材を閉じる方向に移動させているときの様子を例示する概略斜視図。
【図２３】液体収容容器に対する液体の注入作業を示す概略斜視図。
【図２４Ａ】大気導入部が形成されている部位を示す概略斜視図。
【図２４Ｂ】大気導入部の内部構造を示す概略斜視図。
【図２５】大気導入部が形成されている部位を示す概略側面図。
【図２６】複数の液体収容容器が装着されている液体供給部を示す概略斜視図。
【図２７】複数の液体収容容器が装着されている液体供給部を示す概略平面図。
【図２８】液体収容容器と液体供給部の概略断面図。
【図２９】第２実施形態の液体収容容器が備える開口筐体部材の概略側面図。
【図３０】第３実施形態の液体収容容器におけるフィルター室の構成を示す概略断面図。
【図３１Ａ】第４実施形態の内壁部の構成を示す概略斜視図。
【図３１Ｂ】第４実施形態の内壁部の構成を示す概略側面図。
【図３２Ａ】第５実施形態の内壁部の構成を示す概略斜視図。
【図３２Ｂ】第５実施形態の内壁部の構成を示す概略側面図。
【図３３】第６実施形態の液体収容容器の第１端部側の部位を示す概略斜視図。
【図３４】第７実施形態の液体収容容器の装着状態を示す概略斜視図。
【図３５】第８実施形態の液体収容容器の連結作業の様子を模式的に示す概略斜視図。
【図３６】第８実施形態の液体収容容器の連結解除の様子を模式的に示す概略斜視図。
【発明を実施するための形態】
【００２７】
Ａ．第１実施形態：
図１を参照して、第１実施形態の液体収容容器１０Ａが装着される液体消費装置５００の構成を説明した後、図２〜図２６を参照して、第１実施形態の液体収容容器１０Ａの構成を説明する。
【００２８】
Ａ１．液体消費装置の構成：
図１は、液体消費装置５００の構成を示す概略斜視図である。図１には、互いに直交する３つの方向を示す矢印Ｘ，Ｙ，Ｚが図示されている。なお、矢印Ｘ，Ｙ，Ｚは、本明細書において参照される他の各図においても、図１に対応するように、適宜、図示されている。
【００２９】
矢印Ｘ，Ｙ，Ｚが示す方向は、通常の使用状態にあるときの液体消費装置５００の配置姿勢に対応している。「通常の使用状態」とは、液体消費装置５００が水平面に配置されて使用される状態を意味する。以下では、液体消費装置５００が通常の使用状態にあるときの姿勢を基準として説明する。また、以下では、矢印Ｘ，Ｙ，Ｚが指す方向に沿った方向をそれぞれ「Ｘ方向」、「Ｙ方向」、「Ｚ方向」と呼ぶ。各Ｘ方向のうちの矢印Ｘが指す方向を「＋Ｘ方向」と呼び、その反対の方向を「−Ｘ方向」と呼ぶ。Ｙ，Ｚ方向についても、同様に、矢印Ｙ，Ｚのそれぞれが指す方向を「＋Ｙ方向」、「＋Ｚ方向」と呼び、それらの反対の方向をそれぞれ「−Ｙ方向」、「−Ｚ方向」と呼ぶ。
【００３０】
Ｘ，Ｙ，Ｚ方向について、Ｚ方向、Ｙ方向、Ｘ方向の順で説明する。Ｚ方向は、重力方向に平行な方向を示している。＋Ｚ方向は重力方向であり、−Ｚ方向は、重力方向とは反対の方向である。本明細書において、「上」または「下」と言うときは、基本的には重力方向を基準とした上下方向を意味している。Ｙ方向は、水平面に平行な方向を示しており、液体消費装置５００の前後方向（奥行き方向）を示している。−Ｙ方向は、液体消費装置５００のユーザーが正対することが想定されている液体消費装置５００の前面側から背面側に向かう方向である。＋Ｙ方向は、液体消費装置５００の背面側から前面側に向かう方向である。Ｘ方向は、水平面に平行な方向を示しており、液体消費装置５００の左右方向（幅方向）を示している。＋Ｘ方向は、液体消費装置５００の前面に正対したときに左側から右側に向かう方向を示し、−Ｘ方向は、右側から左側に向かう方向を示している。
【００３１】
第１実施形態の液体消費装置５００は、インクジェットプリンターである。液体消費装置５００が消費する液体はインクである。液体消費装置５００は、インクを媒体に向かって吐出して、当該媒体上にインクドットを記録して画像を形成する。前記の媒体は、例えば、印刷用紙である。
【００３２】
液体消費装置５００は、装置本体部５０１と、脚部５０２と、を備える。第１実施形態では、装置本体部５０１は、Ｘ方向を長手方向とする形状を有しており、Ｘ方向における幅が最も大きい。脚部５０２は、装置本体部５０１の下方に設けられ、装置本体部５０１を水平に支持する。脚部５０２には、液体消費装置５００の移動を円滑化するための車輪５０３が設けられている。
【００３３】
装置本体部５０１は、制御部５１０と、ヘッド５１１と、キャリッジ５１２と、を内部に有する。図１では、便宜上、制御部５１０、ヘッド５１１、キャリッジ５１２の配置位置を、破線で例示してある。制御部５１０は、液体消費装置５００における各構成部の駆動を制御する。制御部５１０は、少なくとも、中央処理装置と、主記憶装置と、を備えるマイクロコンピューターによって構成される。制御部５１０は、中央処理装置が主記憶装置に種々のプログラムを読み込んで実行することによって種々の機能を発揮する。制御部５１０は、マイクロコンピューターの代わりに回路によって構成されてもよい。
【００３４】
ヘッド５１１は、自身の下方に搬送されていく媒体（図示は省略）の表面に向かって液体を噴射する。ヘッド５１１は、液体を収容する液体室と、当該液体室の底面において下方に向かって開口する複数のノズルと、を有する（図示は省略）。ヘッド５１１は、制御部５１０の制御下において、例えば、ピエゾ素子による液体室の液体への圧力の印加などの公知の方法によって、液体をノズルから吐出する。
【００３５】
キャリッジ５１２は、ヘッド５１１を下面に搭載し、制御部５１０の制御下において、ヘッド５１１を主操作方向に運搬する。第１実施形態では、液体消費装置５００の主走査方向はＸ方向に沿った方向である。装置本体部５０１は、キャリッジ５１２を移動させる駆動機構として、キャリッジ５１２の移動をガイドするガイド軸と、キャリッジ５１２を移動させる駆動力を発生するモーターと、その駆動力をキャリッジ５１２に伝達するプーリーと、を備える。なお、それらについての図示および詳細な説明は省略する。
【００３６】
装置本体部５０１の−Ｙ方向側の上端部には、外部から媒体を導入するための挿入口５１５が設けられている。挿入口５１５は、Ｘ方向に延び、＋Ｚ方向に開口するスリット状の開口部として設けられている。挿入口５１５の下方には、媒体収容部５１６が設けられている。媒体収容部５１６の内部には、挿入口５１５から導入される媒体とは別の媒体が、ロール状にまるめられた状態で収納されている（図示は省略）。装置本体部５０１の前面には、媒体が排出される排出口５１７が設けられている。排出口５１７は、Ｘ方向に延び、＋Ｙ方向に開口するスリット状の開口部として設けられている。
【００３７】
液体消費装置５００では、挿入口５１５から挿入された媒体、または、媒体収容部５１６に収納されている媒体は、装置本体部５０１の内部に設けられている搬送ローラー（図示は省略）によって、ヘッド５１１の下方に搬送される。媒体は、ヘッド５１１の下方の領域においてＹ方向に沿って搬送される。第１実施形態では、液体消費装置５００の副走査方向はＹ方向に沿った方向である。媒体は、ヘッド５１１の下方領域を通過し、排出口５１７から排出される。
【００３８】
液体消費装置５００では、制御部５１０は、ヘッド５１１の下方領域において媒体を上述した副走査方向に搬送しつつ、ヘッド５１１を主走査方向に往復移動させ、印刷データに基づいて予め決定されているタイミングで、ヘッド５１１からインク滴を吐出させる。これによって、媒体上に、印刷データに基づいて決定された位置にインクドットが記録され、印刷データに基づく画像が形成される。
【００３９】
装置本体部５０１の前面には、操作部５１８が設けられている。第１実施形態では、操作部５１８は、＋Ｘ方向側の端部に設けられている。操作部５１８は、ユーザーに対する情報を表示する表示部５１８ｉと、ユーザーの操作を受け付ける複数の操作ボタン５１８ｂと、を有する。
【００４０】
装置本体部５０１は、液体供給部５２０を有している。第１実施形態では、液体供給部５２０は、操作部５１８を操作しているユーザーがアクセスしやすいように、操作部５１８の下方に設けられている。液体供給部５２０は、ヘッド５１１に吐出対象である液体を供給する。液体供給部５２０には、複数の液体収容容器１０Ａが着脱可能に装着される。図１では、５個の液体収容容器１０Ａが装着されている状態が例示されている。
【００４１】
液体収容容器１０Ａは、液体消費装置５００に供給される液体を収容している。液体供給部５２０は、吸引ポンプ５２４を備えており、吸引ポンプ５２４によって、可撓性を有するチューブ５１３を介して、液体収容容器１０Ａの液体を吸引して、ヘッド５１１に供給する。吸引ポンプ５２４およびチューブ５１３は、後に参照する図２６〜図２８に図示されている。
【００４２】
装置本体部５０１の前面には、装着される液体収容容器１０Ａが挿入される容器挿入口５２１が、＋Ｙ方向に開口している。液体消費装置５００では、複数の液体収容容器１０Ａが、液体供給部５２０の容器挿入口５２１に対して、Ｘ方向に配列された状態で並列に挿入されるように構成されている。各液体収容容器１０Ａには異なる色のインクが収容されている。
【００４３】
液体消費装置５００では、液体収容容器１０Ａは、液体消費装置５００に対して、重力方向に交差する方向に挿入される。第１実施形態では、液体収容容器１０Ａが液体消費装置５００に挿入される方向は−Ｙ方向である。以下、液体収容容器１０Ａが液体消費装置５００に対して挿入される方向である−Ｙ方向を、単に「挿入方向」とも呼ぶ。
【００４４】
液体消費装置５００では、各液体収容容器１０Ａは、その一部が挿入方向に突出している状態で液体消費装置５００に装着される。以下、各液体収容容器１０Ａが液体消費装置５００に適切に装着された状態を、単に「装着状態」とも呼ぶ。液体消費装置５００に対する液体収容容器１０Ａの装着のメカニズムの詳細については後述する。
【００４５】
Ａ２．液体収容容器の構成：
Ａ２−１．液体収容容器の外部構成の概略：
図２〜図９を参照して各液体収容容器１０Ａの外部構成の概略を説明する。図２は、液体収容容器１０Ａを、＋Ｙ方向側、かつ、＋Ｚ方向側から見たときの概略斜視図である。図３は、液体収容容器１０Ａを、−Ｙ方向側、かつ、＋Ｚ方向側から見たときの概略斜視図である。図４は、液体収容容器１０Ａを、−Ｙ方向側、かつ、−Ｚ方向側から見たときの概略斜視図である。図５は、液体収容容器１０Ａを−Ｚ方向に見たときの概略平面図である。図６は、液体収容容器１０Ａを＋Ｘ方向に見たときの概略側面図である。図７は、液体収容容器１０Ａを＋Ｚ方向に見たときの概略低面図である。図８は、液体収容容器１０Ａを−Ｙ方向に見たときの概略正面図である。図９は、液体収容容器１０Ａを＋Ｙ方向に見たときの概略背面図である。なお、本明細書において、液体収容容器１０Ａに関するＸ，Ｙ，Ｚ方向の記述はいずれも、通常の使用状態にあるときの液体消費装置５００に装着された装着状態での液体収容容器１０Ａの配置姿勢を基準とする。
【００４６】
Ａ２−１−１．容器本体の壁部：
液体収容容器１０Ａは、液体が収容される収容室３１が内部に設けられている容器本体１１を有する。図２〜図９では、便宜上、収容室３１の位置に破線で符号を付してある。収容室３１は、後に参照する図１０〜図１２に図示されている。
【００４７】
容器本体１１は、挿入方向に沿ったＹ方向を長手方向とする形状を有している。つまり。容器本体１１は、Ｙ方向の長さが、Ｘ，Ｚ方向の長さよりも長い形状を有している。第１実施形態では、容器本体１１は、略直方体形状を有しており、Ｙ方向における長さが、Ｘ方向における幅、および、Ｚ方向における高さよりも大きい（図２〜図４）。容器本体１１のＸ方向における幅は、Ｚ方向における高さよりも小さい（図８，図９）。容器本体１１は、例えば、ポリプロピレン（ＰＰ）などの樹脂部材によって構成される。
【００４８】
容器本体１１は、その長手方向における端部である第１端部１２と、第２端部１３と、を有する（図２〜図７）。第１端部１２は、挿入方向側、つまり、−Ｙ方向側の端部である。第２端部１３は、挿入方向とは反対側、つまり、＋Ｙ方向側の端部である。
【００４９】
容器本体１１は、第１部位１５と、第２部位１６と、を有する（図２〜図７）。第１部位１５は、液体収容容器１０Ａが装着状態にあるときに、液体消費装置５００の外部に露出している部位であり、容器挿入口５２１よりも−Ｙ方向側の部位である（図１）。第２部位１６は、液体収容容器１０Ａが装着状態にあるときに、液体消費装置５００の内部に収納されている部位であり、容器挿入口５２１よりも＋Ｙ方向側の部位である。前述した第１端部１２は第１部位１５に含まれ、第２端部１３は第２部位１６に含まれている。
【００５０】
容器本体１１は、複数の壁部として、以下に説明する６つの壁部２１〜２６を有している。なお、本明細書において、「壁部」の壁面は、平面状に構成されていなくても良く、曲面状に構成されていてもよいし、凹部や凸部、段差、溝、屈曲部、傾斜面、穴、スリットなどを有していてもよい。また、以下の説明において、壁部が「交差する」とは、各壁部の壁面が相互に実際に交差する状態と、一方の壁部の壁面の延長面が他方の壁部の壁面に交差する状態と、２つの壁部のそれぞれにおける壁面の延長面同士が交差する状態と、のいずれかの状態であることを意味する。交差する壁部の間には、湾曲面を構成する面取り部などが介在していてもよい。
【００５１】
第１壁部２１は、先端壁部であり、収容室３１の挿入方向側に位置し、挿入方向に向く外壁面を有する（図３〜図７，図９）。第２壁部２２は、後端壁部であり、挿入方向において、収容室３１を挟んで第１壁部２１とは反対側に位置し、挿入方向とは反対の方向を向く外壁面２２ｏを有する（図２，図８）。なお、後に参照する図１０および図１１に図示されているように、第２壁部２２の外壁面２２ｏとは反対側の内壁面２２ｉは、収容室３１と面する。
【００５２】
第３壁部２３は、上面壁部であり、Ｙ方向における両端において、第１壁部２１と第２壁部２２とに交差する（図２，図３，図５）。第３壁部２３は、上壁面２３ｓを有する。上壁面２３ｓは、挿入方向に沿った液体収容容器１０Ａの外壁面であり、収容室３１の上方に位置して、上を向く外壁面である。
【００５３】
第４壁部２４は、底面壁部であり、Ｙ方向における両端において、第１壁部２１と第２壁部２２とに交差し、収容室を挟んで第３壁部２３とＺ方向に対向する（図４，図６，図７）。本明細書において「対向する」と言うときは、向かい合う対象物同士が直接面している状態と、向かい合う対象物同士の間に他の物が介在して間接的に面している状態と、を含む。第４壁部２４は、底壁面２４ｓを有する。底壁面２４ｓは、挿入方向に沿った液体収容容器１０Ａの外壁面であり、収容室３１の下方に位置し、下を向く。
【００５４】
第５壁部２５は、左側面壁部であり、液体収容容器１０Ａを挿入方向に見たときに収容室３１の左側に位置する（図２，図８）。第５壁部２５は、第１壁部２１と第２壁部２２と第３壁部２３と第４壁部２４とに交差している（図２，図３）。
【００５５】
第６壁部２６は、右側面壁部であり、液体収容容器１０Ａを挿入方向に見たときに収容室３１の右側に位置する（図５，図７，図８）。第６壁部２６は、第１壁部２１と第２壁部２２と第３壁部２３と第４壁部２４とに交差しており、Ｘ方向において、収容室３１を挟んで第５壁部２５と対向している。
【００５６】
Ａ２−１−２．液体出口：
液体収容容器１０Ａは、液体出口３３を有している（図３，図４，図９）。液体出口３３は、装着状態において、液体消費装置５００に接続され、収容室３１の液体を液体消費装置５００に流出させる。液体出口３３は、挿入方向において、容器本体１１の第１端部１２側に設けられている。液体出口３３は、第１壁部２１において、挿入方向に開口している。液体出口３３は、第１壁部２１において＋Ｙ方向に窪んでいる凹部３４内に設けられている。以下、凹部３４を「出口収納凹部３４」とも呼ぶ。容器本体１１の内部に設けられている収容室３１と液体出口３３とを接続する液体の流路の構成および出口収納凹部３４の機能については後述する。
【００５７】
Ａ２−１−３．液体入口：
液体収容容器１０Ａは、液体入口３５を有している（図２，図３，図５）。図２には、蓋部材８５が開かれ、液体入口３５が開放されている状態が図示されており、図３では蓋部材８５が閉じられ、液体入口３５が閉塞されている状態が図示されている。図３，図５では、便宜上、液体入口３５の位置に破線で符号を付してある。
【００５８】
液体入口３５は、収容室３１に連通している。液体入口３５は、ユーザーによる容器本体１１の外部から収容室３１への液体の注入を受け入れる。液体入口３５は、挿入方向において、容器本体１１の第２端部１３側に設けられている。液体入口３５は、上面壁部である第３壁部２３において、先端壁部である第１壁部２１よりも、後端壁部である第２壁部２２に寄った位置に設けられている。液体入口３５の周囲は、入口周囲壁部３６によって囲まれている。入口周囲壁部３６は第３壁部２３において上方に突起している筒状の壁部である。
【００５９】
液体入口３５は、装着状態において、液体消費装置５００の外部に露出する第１部位１５に位置している（図１）。そのため、ユーザーは、液体収容容器１０Ａを液体消費装置５００に装着させたまま、液体収容容器１０Ａに対して液体の補充をおこなうことができる。蓋部材８５を含む液体入口３５の周辺の構成およびユーザーによる液体入口３５に対する液体の注入作業については後述する。
【００６０】
Ａ２−１−４．視認部：
液体収容容器１０Ａは、後端壁部である第２壁部２２に、視認部３８を有している（図２，図８）。視認部３８は、収容室３１に収容されている液体の液面の位置を、ユーザーが容器本体１１の外部から視認できるように透過する。容器本体１１は、少なくとも、視認部３８が設けられている第２壁部２２が、収容室３１内の液体の液面を視認できる程度の光の透過性を有する半透明の部材によって構成されている。液体収容容器１０Ａでは、第２壁部２２は透明な部材によって構成されてもよい。また、液体収容容器１０Ａでは、容器本体１１の全体がそうした光の透過性を有する部材によって構成されていてもよい。視認部３８には、収容室３１に収容されている液体の量の目安となる目盛３９が設けられている。目盛３９の詳細については後述する。
【００６１】
液体収容容器１０Ａによれば、ユーザーは、装着状態において、液体消費装置５００の外部に露出する第１部位１５に設けられている視認部３８によって、収容室３１に収容されている液体の量を確認することができる。よって、液体消費装置５００の駆動中に、液体収容容器１０Ａの液体が不足してしまうことを未然に防止することができる。また、ユーザーは、視認部３８によって、収容室３１に収容されている液体の量を確認しながら、液体入口３５からの液体の注入作業をおこなうことができる。
【００６２】
Ａ２−１−５．手掛け部：
液体収容容器１０Ａは、底面壁部である第４壁部２４に手掛け部４０が設けられている（図４，図７）。手掛け部４０は、ユーザーが液体消費装置５００に対して液体収容容器１０Ａを着脱する際に、ユーザーが手を掛けるための部位である。第１実施形態では、手掛け部４０は、ユーザーの指先を引っ掛けることができる程度の凹部として形成されている。手掛け部４０は、挿入方向において第１壁部２１よりも第２壁部２２に近い位置に設けられている。手掛け部４０は、装着状態において、液体消費装置５００の外部に露出する第１部位１５に位置している。そのため、液体消費装置５００から液体収容容器１０Ａを取り外す際に、ユーザーが手掛け部４０に触れやすい。
【００６３】
Ａ２−１−６．レール部：
液体収容容器１０Ａの第３壁部２３の上壁面２３ｓには、レール部４１が設けられている（図２，図３，図５）。レール部４１は、挿入方向に沿って直線状に延びる凸部として形成されている。レール部４１は、上壁面２３ｓのＸ方向の中央部位において突起している。Ｘ方向は、挿入方向に直交する幅方向に相当する。
【００６４】
本明細書において「中央」とは、実質的に中央の位置を意味し、「中央部位」は、両端からある程度離れている部位を意味する。上壁面２３ｓのＸ方向における幅をｘとするとき、レール部４１は、上壁面２３ｓ内において、上壁面２３ｓのＸ方向における中心を中心とし、Ｘ方向における幅が０．５・ｘ以内の領域内に形成されているものとしてもよい。当該領域のＸ方向における幅は０．３・ｘ以内であることが望ましく、０．２・ｘ以内であることがより望ましい。
【００６５】
レール部４１のＹ方向の長さは、容器本体１１のＹ方向における長さの半分以上である。レール部４１は、挿入方向において、第１壁部２１側にわずかに寄った位置に設けられている。
【００６６】
液体収容容器１０Ａでは、第４壁部２４の底壁面２４ｓにもレール部４２が設けられている（図４，図６，図７）。以下、区別するために、上壁面２３ｓのレール部４１を「第１レール部４１」とも呼び、底壁面２４ｓのレール部４２を「第２レール部４２」とも呼ぶ。第２レール部４２は、底壁面２４ｓのＸ方向の中央部位において突起している。第２レール部４２の底壁面２４ｓのＸ方向における位置は、上述した第１レール部４１の上壁面２３ｓのＸ方向における位置と同様である。なお、第２レール部４２は第１レール部４１に対して＋Ｙ方向にずれた位置に設けられている（図６）。
【００６７】
第１レール部４１の−Ｙ方向側の端部は、第２レールの−Ｙ方向側の端部よりも−Ｙ方向側に位置している。一方、第２レール部４２の＋Ｙ方向側の端部は、第１レール部４１の＋Ｙ方向側の端部よりも＋Ｙ方向側に位置している。なお、第１レール部４１のＹ方向における長さは、第２レール部４２のＹ方向における長さよりも長い。第２レール部４２の−Ｙ方向側には、容器蓋部材６２のフィルター室壁部６７ｆ（後述）が配置されている（図７）。
【００６８】
レール部４１，４２は、液体消費装置５００に対する液体収容容器１０Ａの着脱の際に、液体収容容器１０Ａの移動方向をガイドする。レール部４１，４２は、ユーザーが液体収容容器１０Ａを把持して運搬するときに指を掛ける部位として機能する。その他に、レール部４１，４２は、液体収容容器１０Ａの組立の際の位置決めの基準部位としての機能を有する。レール部４１，４２の機能についての詳細は後述する。
【００６９】
Ａ２−１−７．電気的接続部：
液体収容容器１０Ａの第２端部１３には、液体消費装置５００に対して電気的に接続される電気的接続部５０が設けられている（図３，図５，図９）。液体消費装置５００の制御部５１０は、電気的接続部５０から受け取る電気的信号によって、液体収容容器１０Ａに収容されている液体に関する情報を取得する。「液体に関する情報」には、例えば、液体の種類や液体収容容器１０Ａにおける現在の液体の収容量などが含まれる。また、制御部５１０は、液体消費装置５００に対する液体収容容器１０Ａの装着状態を電気的に検出する。
【００７０】
電気的接続部５０は、液体出口３３の上方に設けられている（図９）。電気的接続部５０は、基板によって構成されており、第１壁部２１と第３壁部２３との間の角部に設けられた凹部５１内に配置されている（図３）。凹部５１内には、＋Ｙ方向と−Ｚ方向との間の斜め上方に向いている傾斜面５１ｓが形成されており、電気的接続部５０は、当該傾斜面５１ｓ上に配置されている。電気的接続部５０は、基板面５２が斜め上方を向くように配置されている。電気的接続部５０の基板面５２には、複数の電極板５３が配置されている（図９）。基板面５２の裏面には、液体に関する情報を記憶する記憶装置を含む電気回路部５４が設けられている。電気回路部５４は、後に参照する図１７に図示されている。
【００７１】
液体消費装置５００に液体収容容器１０Ａが装着されるときには、弾性部材によって下方に付勢されている液体消費装置５００の接続端子５２７（後に参照される図２８において図示。）が、電気的接続部５０の電極板５３に上方から接触する。このとき、各電極板５３は、液体収容容器１０Ａが液体消費装置５００に挿入されるときの−Ｙ方向の力に加えて、当該接続端子５２７からの−Ｚ方向の付勢力も受ける。これら二方向の力によって、液体消費装置５００に対する電気的接続部５０の電気的な接続性が高められている。また、液体消費装置５００に対する液体収容容器１０Ａの挿入の際に液体消費装置５００の接続端子５２７が各電極板５３の表面を擦るため、電極板５３に付着している油脂分や塵芥などの異物が除去される。よって、液体消費装置５００に対する電気的接続部５０の電気的な接続性が高められる。
【００７２】
液体収容容器１０Ａでは、電気的接続部５０をＸ方向に挟む凹部５１の側壁面に、Ｙ方向に沿って延びる溝部５１ｇが設けられている（図３）。液体収容容器１０Ａが液体消費装置５００に装着されたときに、溝部５１ｇには、液体消費装置５００の液体供給部５２０が有する凸部（図示は省略）が挿入される。これによって、液体消費装置５００の接続端子５２７に対する液体収容容器１０Ａの電気的接続部５０の位置ずれが抑制される。
【００７３】
電気的接続部５０は、液体収容容器１０Ａの長手方向であるＹ方向において液体入口３５とは反対側の端部に設けられているため、液体入口３５からこぼれた液体が付着してしまうことが抑制されている。電気的接続部５０は、液体出口３３の上方に設けられているため、液体出口３３から垂れ落ちる液体が電気的接続部５０に付着することが抑制されている。また、電気的接続部５０は凹部５１内に設けられている。そのため、液体収容容器１０Ａが、液体消費装置５００から取り外されている状態において、ユーザーが各電極板５３に触れてしまうことや、液体収容容器１０Ａが落下したときに電気的接続部５０が損傷してしまうことなどが抑制される。
【００７４】
Ａ２−１−８．第１壁部の他の構成要素：
液体収容容器１０Ａの第１壁部２１には、複数の凹部５５が設けられている（図３，図４，図９）。凹部５５は、＋Ｙ方向に窪んでいる有底の孔部である。第１実施形態では、複数の凹部５５として、３つの凹部５５ａ，５５ｂ，５５ｃが設けられている（図９）。第１凹部５５ａは、電気的接続部５０と液体入口３５との間に設けられている。第２凹部５５ｂは、液体出口３３の下方に設けられている。第３凹部５５ｃは、第２凹部５５ｂの下に設けられている。第２凹部５５ｂは、液体収容容器１０Ａを液体消費装置５００に装着するときに、液体収容容器１０Ａの位置を規定する位置決め部として機能する。
【００７５】
第１壁部２１と第４壁部２４との間の角部には、−Ｙ方向および−Ｚ方向に開口する凹部５８が設けられている。液体収容容器１０Ａが液体消費装置５００に装着されたときに、凹部５８には、液体消費装置５００に設けられている識別部材５２８が収容される。識別部材５２８は、後に参照する図２８に図示されている。各凹部５５，５８の構成および機能の詳細については後述する。
【００７６】
Ａ２−２．液体収容容器の組立構造および内部構成の概略：
図１０〜図１２を参照して、液体収容容器１０Ａの組立構造およびその内部構成の概略を説明する。図１０は、液体収容容器１０Ａの概略分解斜視図である。図１１は、開口筐体部材６０を＋Ｘ方向に見たときの概略側面図である。図１２は、フィルム部材６３が溶着された開口筐体部材６０を示す概略斜視図である。
【００７７】
液体収容容器１０Ａの容器本体１１は、開口筐体部材６０と、容器蓋部材６２と、フィルム部材６３と、によって構成される（図１０）。開口筐体部材６０は、略直方体形状を有する箱状の部材であり、挿入方向に交差する方向である−Ｘ方向に開口している（図１０，図１１）。
【００７８】
開口筐体部材６０は、液体収容容器１０Ａの第１壁部２１、第２壁部２２、第３壁部２３、第４壁部２４、第６壁部２６を構成する壁部を有している（図１０，図１１）。上述した液体出口３３、液体入口３５、電気的接続部５０が配置される凹部５１、レール部４１，４２、手掛け部４０、複数の凹部５５は、開口筐体部材６０に設けられている。
【００７９】
開口筐体部材６０は、＋Ｘ方向側に窪み、−Ｘ方向に開口している３つの凹部６１ａ，６１ｂ，６１ｃを有している（図１１）。第１凹部６１ａは、上面壁部である第３壁部２３を構成する壁部と、底面壁部である第４壁部２４を構成する壁部との間において、挿入方向に交差する方向に開口している。第１凹部６１ａの内部空間は、収容室３１を構成する。以下では、第１凹部６１ａを「収容室凹部６１ａ」とも呼ぶ。収容室凹部６１ａの内部空間は略直方体形状を有している。収容室凹部６１ａの内部空間は、開口筐体部材６０のほとんど全体にわたって形成されている。収容室３１は、収容室凹部６１ａによって、容器本体１１の内部において容器本体１１の長手方向に沿って延びている形状に構成される。
【００８０】
収容室凹部６１ａ内には、複数の補強壁部６４が設けられている（図１０，図１１）。補強壁部６４は、開口筐体部材６０の壁部の変形を抑制するリブとして機能する。第１実施形態では、３つの補強壁部６４が設けられている。各補強壁部６４は、収容室凹部６１ａ内においてＺ方向にわたって延在している。本明細書において、「延在する」とは、ある方向に切れ間なく延びている状態を意味する。各補強壁部６４は、収容室凹部６１内においてＹ方向に予め決められた間隔で配列されている。
【００８１】
各補強壁部６４は、第３壁部２３を構成する壁部と、第４壁部２４を構成する壁部と、第６壁部２６を構成する壁部と、に連結されている。各補強壁部６４の−Ｘ方向側の端面は、第１壁部２１、第２壁部２２、第３壁部２３、第４壁部２４を構成する各壁部の−Ｘ方向側の端面よりも＋Ｘ方向側に位置している。各補強壁部６４の−Ｘ方向側の端面は、フィルム部材６３に溶着されない（図１２）。液体収容容器１０Ａでは、各補強壁部６４の−Ｘ方向側の端面全体とフィルム部材６３との間に空間が形成されていることによって、収容室３１内において液体をＹ方向に行き渡らせることができる。なお、液体収容容器１０Ａでは、補強壁部６４の−Ｘ方向側の端面に、＋Ｘ方向側に窪んでいる凹部を設け、補強壁部６４の−Ｘ方向側の端面における当該凹部以外の部位にフィルム部材６３を溶着してもよい。この構成の場合には、当該凹部が、収容室３１内において液体が流通する流路として機能する。
【００８２】
収容室凹部６１ａ内には、内壁部６５が設けられている（図１０，図１１）。内壁部６５は、収容室３１の上面３１ｕ側から底面３１ｂに向かって下方に垂下し、下端６５ｅが収容室３１の上面３１ｕと底面３１ｂとの間に位置している。内壁部６５は、収容室凹部６１ａ内においてＸ方向の全体にわたって延在している。内壁部６５の＋Ｘ方向側の端部は第６壁部２６の収容室３１側の壁面である内壁面２６ｓに連結されている。内壁部６５の−Ｘ方向側の端部は、収容室３１の−Ｘ方向側の内壁面を構成するフィルム部材６３（図１０）に溶着されて連結される。
【００８３】
収容室凹部６１ａの内部空間、つまり、収容室３１は、内壁部６５を挟んで挿入方向に隣り合う２つの領域Ａ１，Ａ２に仕切られる（図１１）。内壁部６５は、挿入方向において第１壁部２１よりも第２壁部２２に近い位置に設けられている。内壁部６５は、液体入口３５よりも挿入方向側に位置している。第１実施形態では、内壁部６５は、液体入口３５の挿入方向側に位置する入口周囲壁部３６の下方において、収容室３１の上面３１ｕから垂下している。内壁部６５の構成および機能の詳細については後述する。なお、上述した複数の補強壁部６４は、内壁部６５の−Ｙ方向側の領域Ａ１に設けられている。
【００８４】
第２凹部６１ｂの内部空間は、収容室３１に外気を導入する通路である大気導入部１１０を構成する。第２凹部６１ｂは、収容室凹部６１ａの上方に設けられている。第２凹部６１ｂのＺ方向の幅は、収容室凹部６１ａのＺ方向の幅に比較して著しく小さい。第２凹部６１ｂは、Ｙ方向において、収容室３１の中央から第１壁部２１に向かって延びている。第２凹部６１ｂによって構成される大気導入部１１０についての詳細は後述する。
【００８５】
第３凹部６１ｃは、フィルター室７１と液体出口３３とを接続する液体の流路である出口流路７８の一部を構成する。図１１では、液体出口３３およびフィルター室７１は隠れて見えないため、その位置に破線で符号を付してある。フィルター室７１の構成については後述する。第３凹部６１ｃは、収容室凹部６１ａの−Ｙ方向側の端部の下端領域から、収容室凹部６１ａの角部に沿って＋Ｚ方向に曲がって、液体出口３３まで＋Ｚ方向に延びている。
【００８６】
開口筐体部材６０の３つの凹部６１ａ，６１ｂ，６１ｃの開口部は、フィルム部材６３によって共通に閉塞される（図１２）。フィルム部材６３は、可撓性、ガスバリア性、および、液不透過性を有する素材によって構成される。フィルム部材６３は、例えば、ポリエチレンテレフタレート（ＰＥＴ），ナイロン，ポリエチレンなどの樹脂フィルムによって構成される。
【００８７】
フィルム部材６３は、開口筐体部材６０の３つの凹部６１ａ，６１ｂ，６１ｃのそれぞれを囲む壁部６０ｗの端面に溶着される（図１２）。壁部６０ｗは、−Ｘ方向に突出しており、その端面の−Ｘ方向における位置が揃っている。フィルム部材６３は、内壁部６５の−Ｘ方向側の端面に溶着される。壁部６０ｗの−Ｘ方向の端面と内壁部６５の−Ｘ方向の端面とは−Ｘ方向における位置が揃っている。
【００８８】
第１実施形態の液体収容容器１０Ａでは、開口筐体部材６０に対するフィルム部材６３の溶着によって、容器本体１１の内部に、収容室３１、大気導入部１１０、出口流路７８を構成する空間が簡易に構成されている。液体収容容器１０Ａでは、フィルム部材６３の溶着により、収容室３１における液体の封止性が高められている。また、軽量で厚みの薄いフィルム部材６３の使用により、液体収容容器１０Ａの軽量化や小型化が実現されている。
【００８９】
液体収容容器１０Ａでは、開口筐体部材６０に溶着されたフィルム部材６３は、容器蓋部材６２によって覆われる（図１０）。容器蓋部材６２は、本体壁部６６と、２つの周縁壁部６７，６８と、を有する。本体壁部６６は、容器本体１１の第５壁部２５を構成する平板状の部位であり、略長方形形状を有する。
【００９０】
第１の周縁壁部６７は、本体壁部６６の上端と下端とに設けられ、＋Ｘ方向に庇状に突出している縁部を構成する（図１０）。なお、図１０では、本体壁部６６の下端に設けられている周縁壁部６７は隠れて見えない。周縁壁部６７は、挿入方向（−Ｙ方向）に沿って延びている。容器蓋部材６２を開口筐体部材６０に取り付けたときに、開口筐体部材６０の外壁面上に配置され、容器本体１１の第３壁部２３および第４壁部２４の一部を構成する（図５，図７）。周縁壁部６７は、開口筐体部材６０に対して容器蓋部材６２を位置決めする位置決め部として機能する（詳細は後述）。
【００９１】
第２の周縁壁部６８は、本体壁部６６の＋Ｙ方向側の端部に設けられ、＋Ｘ方向に庇状に突出している縁部を構成している（図２）。周縁壁部６８の−Ｚ方向側の下端部は、本体壁部６６の下端側に設けられている第１の周縁壁部６７の＋Ｙ方向側の端部に連結されている。周縁壁部６８は、容器蓋部材６２が開口筐体部材６０に取り付けられたときに、開口筐体部材６０の外壁面上に配置され、容器本体１１の第２壁部２２の一部を構成する。周縁壁部６８の＋Ｚ方向側の上端部６８ｅは、第２壁部２２の上端よりも−Ｚ方向側に位置している。この理由については後述する。
【００９２】
容器蓋部材６２の本体壁部６６は、本体壁部６６の上端に設けられている周縁壁部６７の＋Ｙ方向側に、Ｙ方向に沿って直線状に延びる端部である外周端部６６ｅを有している（図１０）。外周端部６６ｅは、容器蓋部材６２が開口筐体部材６０に取り付けられたときに、液体入口３５の周囲に設けられている液体受部８０（後述）に沿って配置さる（図２）。また、外周端部６６ｅは、液体入口３５を閉じている状態にある蓋部材８５に沿って配置される（図３）。容器蓋部材６２の下端に設けられている周縁壁部６７は、＋Ｙ方向側に、手掛け部４０に沿って配置される端部部位６７ｅを有している（図７）。外周端部６６ｅや端部部位６７ｅの機能については後述する。
【００９３】
このように、液体収容容器１０Ａでは、容器蓋部材６２は、収容室凹部６１ａの開口を閉塞するように、開口筐体部材６０に取り付けられる（図１０）。また、容器蓋部材６２の本体壁部６６は、上壁面２３ｓに交差し、挿入方向に沿った容器本体１１の外壁面である側壁面、つまり、第５壁部２５の外壁面を構成する（図３，図４）。液体収容容器１０Ａでは、容器蓋部材６２によってフィルム部材６３が保護される（図１０）。
【００９４】
また、液体収容容器１０Ａでは、容器蓋部材６２の周縁壁部６７，６８が、開口筐体部材６０の第３壁部２３を構成する壁部、第４壁部２４を構成する壁部、第２壁部２２を構成する壁部の上に重ねて配置されている（図５，図７，図８）。これによって、液体収容容器１０Ａでは、外部に露出する開口筐体部材６０と容器蓋部材６２との間に大きな隙間が生じてしまうことが抑制されている。
【００９５】
Ａ２−３．収容室と液体出口とを接続する液体の流路：
Ａ２−３−１．流路の構成：
図１３〜図１６を参照図として加えて、液体収容容器１０Ａにおける収容室３１と液体出口３３とを接続する液体の流路７０の構成を説明する。図１３は、図１１に示す１３−１３切断における開口筐体部材６０の概略断面図であり、−Ｚ方向に見た収容室３１の底面３１ｂを示している。図１３には、液体収容容器１０Ａを−Ｚ方向に見たときの液体出口３３と液体入口３５の位置を破線で図示してある。図１４は、図１３に示されている領域Ａに含まれる開口筐体部材６０の部位を＋Ｚ方向に見たときの概略底面図であり、第４壁部２４内に設けられたフィルター室７１を示している。図１５は、Ｙ方向に沿った切断面におけるフィルター室７１の断面構造を模式的に示す概略断面図である。図１６は、フィルター室７１が設けられている開口筐体部材６０の第１壁部２１側の端部を下方から見たときの概略斜視図である。
【００９６】
図１６には、収容室３１から液体出口３３に至る液体の流れを示す矢印ＦＬが図示されている。液体収容容器１０Ａの容器本体１１には、収容室３１と液体出口３３とを接続する液体の流路７０が設けられている（図１６）。流路７０は、フィルター室７１と、出口流路７８と、を含む。フィルター室７１は、液体に含まれる異物や気泡を捕捉して液体から除去するフィルター７２を収容する空間である（図１４）。つまり、液体収容容器１０Ａでは、フィルター７２が、収容室３１と液体出口３３との間に設けられている。なお、本明細書において、フィルター７２が捕捉して除去する液体中の異物には液体の成分に含まれない物質のみならず、液体の成分として分散している微粒子が凝集し、規定のサイズ以上になっている粒子も含まれる。
【００９７】
フィルター室７１は、収容室３１の下方に設けられている（図１４，図１６）。フィルター室７１は、容器本体１１の第４壁部２４の内部に設けられている（図７，図１３）。図７および図１３では、フィルター室７１は隠れて見えないため、その位置を破線で図示してある。液体収容容器１０ＡをＺ方向に見たときに、フィルター室７１は、液体入口３５と挿入方向に沿って並ぶ（図１３）。フィルター室７１は、容器本体１１の第４壁部２４を構成する開口筐体部材６０の壁部の−Ｚ方向側の面において、−Ｚ方向に突出するリブ７３に囲まれた凹部空間として形成されている（図１４，図１６）。
【００９８】
フィルター室７１を構成する凹部空間の開口は、フィルター７２が凹部空間内に配置された後、リブ７３にフィルム部材７４が溶着されることによって封止される（図１０，図１５）。図１４にはフィルム部材７４の配置領域を一点鎖線で示してある。開口筐体部材６０に容器蓋部材６２が取り付けられたときに、容器蓋部材６２のフィルター室壁部６７ｆがフィルム部材７４を覆うように配置される（図４，図７）。フィルター室壁部６７ｆは、容器蓋部材６２の−Ｚ方向側の端部に設けられている周縁壁部６７の一部である。なお、フィルター室壁部６７ｆは、第２レール部４２の−Ｙ方向側の端部に当接するように配置される（図７）。
【００９９】
フィルター７２は、細孔を有する膜状の部材によって構成されており、細孔を通じて厚み方向に液体を通過させ、細孔の径より大きいサイズの液体に含まれる異物や気泡を除去する（図１５）。フィルター７２は、厚み方向がＺ方向に一致するように、フィルター室７１の上面から−Ｚ方向に突出している凸部であるフィルター支持壁７５に接合されて支持される。フィルター支持壁７５に囲まれた領域が、フィルター７２において液体が通過する領域であり、当該領域の外周形状は、フィルター７２の外周形状に沿った形状を有している。
【０１００】
液体収容容器１０Ａでは、フィルター７２の外周形状、つまり、フィルター７２を厚み方向に沿って見たときの形状は、略四角形形状を有している（図１４）。第１実施形態では、フィルター７２の外周形状は、略平行四辺形である。フィルター７２は、挿入方向側に位置する第１の辺ｓ１と、第１の辺ｓ１に対して挿入方向とは反対側に位置する第２の辺ｓ２と、を有する。フィルター７２は、第１の辺ｓ１の両端にある第１の一対の角部ｃ１，ｃ２と、第２の辺ｓ２の両端にある第２の一対の角部ｃ３，ｃ４と、を有している。第１の一対の角部ｃ１，ｃ２のうちの一方の角部ｃ１は、他方の角部ｃ２よりも挿入方向側に突出した位置に位置している。第２の一対の角部ｃ３，ｃ４のうちの一方の角部ｃ３は、他方の角部ｃ４よりも挿入方向とは反対側に突出した位置に位置している。
【０１０１】
フィルター室７１は、フィルター７２によって、フィルター７２の上流側に位置する上流側空間７１ｕと、フィルター７２の下流側に位置する下流側空間７１ｄと、に仕切られる（図１５）。上流側空間７１ｕは、第１連通口７６ａと第２連通口７６ｂとを介して収容室３１に接続されている。下流側空間７１ｄは、フィルター支持壁７５に囲まれた空間であり、出口流路７８に接続されている（図１５，図１６）。上流側空間７１ｕは、フィルター７２および下流側空間７１ｄよりも下方に位置している。
【０１０２】
上流側空間７１ｕに連通している第１連通口７６ａと第２連通口７６ｂとは、収容室３１の底面３１ｂにおいて開口している（図１３，図１４，図１６）。第１連通口７６ａは、挿入方向において、フィルター室７１よりも液体入口３５に近い位置に設けられている（図１３）。第１連通口７６ａは、Ｘ方向において、第６壁部２６よりもフィルム部材６３（図１２）が配置される第５壁部２５に近い位置に設けられている（図１３）。第２連通口７６ｂは、挿入方向において、フィルター７２を挟んで、第１連通口７６ａとは反対側に設けられており、フィルター室７１よりも液体出口３３に近い位置に設けられている。第２連通口７６ｂは、Ｘ方向において、第５壁部２５よりも第６壁部２６に近い位置に設けられている。第１連通口７６ａは、フィルター７２の第４の角部ｃ４よりも第３の角部ｃ３に近い位置に設けられている（図１４）。第２連通口７６ｂは、フィルター７２の第２の角部ｃ２よりも第１の角部ｃ１に近い位置に設けられている。
【０１０３】
第１連通口７６ａは、上述したように、Ｘ方向において第６壁部２６よりも第５壁部２５に近い位置に設けられている（図１３）。そのため、補強壁部６４とフィルム部材６３との間を通過した液体は、第１連通口７６ａを通じてフィルター室７１へと流入しやすくなっている。また、第１連通口７６ａと第２連通口７６ｂとは、底面３１ｂの中でも段差３１ｓ（図１３）を介してわずかに高くなっている面上において開口している。これによって、底面３１ｂの低い面に沈降している異物が段差３１ｓを乗り越えて第１連通口７６ａと第２連通口７６ｂへと流入することが抑制されている。
【０１０４】
フィルター室７１を囲むリブ７３は、フィルター７２と第１連通口７６ａと第２連通口７６ｂとを、それらの外周輪郭線に沿って囲むように形成されている（図１４）。フィルター室７１の外側には、フィルター室７１の周りの強度を高めるための補強リブ７９が格子状に形成されている。これによって、フィルター室７１周囲の壁部の変形が抑制され、フィルター７２やフィルム部材７４の剥離が抑制される。
【０１０５】
Ａ２−３−２．流路における液体の流れ：
図１５，図１６を参照して、流路７０における液体の流れを説明する。収容室３１の液体は、第１連通口７６ａと第２連通口７６ｂとを通じて、フィルター室７１の上流側空間７１ｕに流入する（図１５の矢印ＦＬ）。液体は、フィルター７２の内部を重力方向とは反対の方向に流れ、下流側空間７１ｄへと流入する。このとき、液体に混入していた異物や気泡は、上流側空間７１ｕに残留する。下流側空間７１ｄへと流入した液体は、下流側空間７１ｄに接続されている出口流路７８へと流れ、出口流路７８を通じて、液体出口３３へと流れる（図１６の矢印ＦＬ）。
【０１０６】
図１３を参照する。液体収容容器１０Ａでは、フィルター７２は、挿入方向において、液体入口３５よりも液体出口３３に近い位置に設けられている。これにより、液体入口３５を通じて注入された液体に混入している異物をフィルター７２に到達する前に沈降させることができる。よって、フィルター７２まで当該異物が到達することが抑制され、異物によるフィルター７２の目詰まりが抑制される。また、液体入口３５からの液体の注入によって、収容室３１の液体中に気泡が混入したとしても、フィルター７２にまで到達する気泡の量を低減させることができる。液体出口３３とフィルター７２との距離が短いため、フィルター７２と液体出口３３の間の圧損が大きくなることが抑制されている。よって、液体消費装置５００の吸引ポンプ５２４（図２６〜図２８）において発生させる液体を液体出口３３へと吸引する吸引力の低減が可能である。
【０１０７】
特に、第１実施形態では、液体入口３５が第１壁部２１よりも第２壁部２２に近い位置に設けられ、フィルター７２が第２壁部２２よりも第１壁部２１に近い位置に設けられており、液体入口３５とフィルター７２との距離がより大きくなるように構成されている。よって、液体中の異物のフィルター７２への到達がより困難になっている。また、液体中の異物を、液体入口３５とフィルター７２との間に設けられている複数の補強壁部６４によって捕捉させることができ、フィルター７２まで到達する異物を低減させることができる。よって、フィルター７２の目詰まりが抑制され、フィルター７２の寿命の長期化が可能である。
【０１０８】
図１３には、液体入口３５の中心軸ＣＸと、中心軸ＣＸに交差し、挿入方向に平行な軸線ＰＸと、が図示されている。液体収容容器１０Ａでは、フィルター室７１に連通する第１連通口７６ａは、軸線ＰＸからずれた位置に設けられている。この構成では、第１連通口７６ａが軸線ＰＸ上にある場合よりも、第１連通口７６ａと液体入口３５の中心位置との間の距離が長くなっている。そのため、その距離が増大している分だけ、液体入口３５から進入した異物が第１連通口７６ａにまで到達することがさらに抑制される。よって、フィルター７２の目詰まりがさらに抑制される。
【０１０９】
液体収容容器１０Ａでは、フィルター室７１は、収容室３１の下方に設けられている（図１５）。そのため、重力によって、収容室３１からフィルター室７１へと液体を誘導させることができ、フィルター室７１への液体の流入が円滑化される。よって、液体収容容器１０Ａから液体消費装置５００への液体の流れをより円滑にすることができ、液体収容容器１０Ａによる液体消費装置５００に対する液体の供給性能が高められる。
【０１１０】
液体収容容器１０Ａでは、フィルター室７１の上流側空間７１ｕは、フィルター７２および下流側空間７１ｄよりも下方に位置しており、フィルター室７１の液体は、重力方向とは反対側の方向にフィルター７２を通過する。そのため、フィルター７２によって液体中から除去された異物を、重力によってフィルター７２の下方に沈降させることができる。従って、フィルター７２の目詰まりの発生が、さらに抑制される。
【０１１１】
液体収容容器１０Ａでは、収容室３１とフィルター室７１とは、液体入口３５に近い位置に設けられた第１連通口７６ａと、第１連通口７６ａよりも−Ｙ方向側に位置し、液体入口３５から遠い位置に設けられた第２連通口７６ｂと、によって連通している。これによって、空の収容室３１に液体を注入したときに、第１連通口７６ａからフィルター室７１の上流側空間７１ｕに液体を流入させつつ、第２連通口７６ｂから上流側空間７１ｕの空気を収容室３１へと逃がすことができる（図１５の矢印ＡＦ）。よって、フィルター室７１の上流側空間７１ｕに空気が滞留してしまうことが抑制され、そうした空気の滞留によって、フィルター室７１への液体の補充が阻害され、液体消費装置５００への液体の供給性能が低下してしまうことが抑制される。
【０１１２】
液体収容容器１０Ａでは、フィルター７２の第１の角部ｃ１は第２の角部ｃ２よりも挿入方向側に突出した位置に位置しており、第３の角部ｃ３は、第４の角部ｃ４よりも挿入方向とは反対側に突出した位置に位置している（図１４）。つまり、第１の角部ｃ１は、第２の角部ｃ２よりも−Ｙ方向側に位置しており、第３の角部ｃ３は、第４の角部ｃ４よりも＋Ｙ方向側に位置している。そして、フィルター支持壁７５に囲まれているフィルター７２における液体の通過領域ＰＡの外周形状もフィルター７２の外周形状に沿った形状にされている。これによって、フィルター７２の外周形状を、第２の角部ｃ２および第４の角部ｃ４の位置に角部を有する長方形形状とし、液体の通過領域ＰＡの外周形状をそれに合わせた形状とした場合よりも、フィルター７２における液体の通過領域ＰＡの面積が増大されている。よって、その分だけ、フィルター７２による異物の除去効果が高められている。また、フィルター７２は、その表裏を反転させたときの外周形状が一致しない。そのため、フィルター７２の上面と下面の識別が容易化されている。よって、液体収容容器１０Ａの容器本体１１に対するフィルター７２の組み付け工程が簡易化される。
【０１１３】
液体収容容器１０Ａでは、開口筐体部材６０から容器蓋部材６２を取り外すことによって、フィルター室７１が外部に露出する（図７，図１６）。そのため、フィルター７２の交換やメンテナンスを容易におこなうことができる。
【０１１４】
Ａ２−４．第１壁部の出口収納凹部と複数の凹部：
Ａ２−４−１．出口収納凹部：
図１７は、図５に示す１７−１７切断における液体収容容器１０Ａの第１壁部２１の概略断面図である。第１壁部２１において、液体出口３３は、出口収納凹部３４のほぼ中央の位置において−Ｙ方向に突出している管部３３ｐの先端において開口している。液体出口３３は、出口収納凹部３４の内壁面に囲まれている。これによって、液体出口３３からこぼれた液体が、出口収納凹部３４によって受け止められるため、液体出口３３からこぼれた液体による液体収容容器１０Ａの汚損が抑制される。
【０１１５】
出口収納凹部３４では、液体出口３３の下方の方が、液体出口３３の上方よりも＋Ｙ方向の深さが大きくなっている。これによって、液体出口３３から下方に漏洩した液体を出口収納凹部３４内に貯留できる量が増大している。よって、液体出口３３から漏洩した液体が、出口収納凹部３４よりも下方の領域へと伝っていくことが抑制され、そうした液体による液体収容容器１０Ａの汚損が、さらに抑制される。
【０１１６】
Ａ２−４−２．第１壁部の凹部：
液体収容容器１０Ａが液体消費装置５００に装着される際に、第１壁部２１に形成されている第２凹部５５ｂには、液体消費装置５００の容器挿入口５２１内に設けられたロッド５２５（破線で図示）が挿入される。ロッド５２５は、＋Ｙ方向に延びている軸状の部材によって構成され、第２凹部５５ｂの開口形状および開口深さに応じた形状を有している。
【０１１７】
第２凹部５５ｂは、＋Ｙ方向側に底部５６を有しており、液体収容容器１０Ａの装着状態において、各ロッド５２５の先端は底部５６に接触する。これによって、液体収容容器１０Ａの液体消費装置５００への挿入の際に、液体収容容器１０Ａが、規定の装着位置よりも−Ｙ方向側に押し込まれ過ぎてしまうことが抑制される。
【０１１８】
液体収容容器１０Ａでは、液体出口３３は、液体収容容器１０Ａの位置決め部として機能する第２凹部５５ｂの上方に設けられている。よって、液体出口３３の位置ずれに起因して、液体出口３３に接続される液体消費装置５００の液体導入口（図示は省略）と液体出口３３との接続不良が発生することが抑制される。
【０１１９】
液体収容容器１０Ａでは、第２凹部５５ｂは、Ｚ方向の両端が平坦に切り欠かれたような略円形形状を有している（図９）。これによって、第２凹部５５ｂに挿入されるロッド５２５の中心軸に対して液体収容容器１０Ａの姿勢がＺ方向に傾斜することが抑制されている。
【０１２０】
液体収容容器１０Ａでは、電気的接続部５０と液体出口３３との間に、第１凹部５５ａが設けられている。そのため、液体収容容器１０Ａが、第３壁部２３が第４壁部２４よりも下方に位置する姿勢にされたとしても、液体出口３３からこぼれた液体が、電気的接続部５０まで伝って行くことが、第１凹部５５ａによって抑制される。よって、電気的接続部５０に液体が付着することによる電気的接続部５０の劣化や、液体消費装置５００に対する電気的接続部５０の電気的接続性の低下が抑制される。
【０１２１】
また、液体収容容器１０Ａでは、液体出口３３の下方に、第２凹部５５ｂと第３凹部５５ｃが設けられている。そのため、液体収容容器１０Ａが、第４壁部２４が第３壁部２３よりも下方に位置する姿勢にされたとしても、液体出口３３からこぼれた液体が、第４壁部２４まで伝って行くことが、それら２つの凹部５５ｂ，５５ｃによって抑制される。よって、液体出口３３からこぼれた液体によって汚損される領域の拡大が抑制される。
【０１２２】
なお、液体収容容器１０Ａでは、各凹部５５と、液体出口３３と、電気的接続部５０のそれぞれのＸ方向における中心位置は、Ｙ方向に平行な軸ＣＹ上に一列に配列される（図９）。それらの中心位置はそれぞれ、当該軸ＣＹに対して、わずかにずれた位置に配置されていてもよい。液体出口３３および電気的接続部５０の中心位置に対する各凹部５５の中心位置のＸ方向におけるずれは、液体出口３３からこぼれた液体の回収が円滑に行える範囲で許容されてよい。各凹部５５の中心位置は、液体収容容器１０ＡをＹ方向に見たときに、液体出口３３および電気的接続部５０に対して各凹部５５の少なくとも一部が重なる範囲でずれていてもよい。
【０１２３】
Ａ２−５．液体収容容器の第２端部側の構成：
図１８〜図２３を参照して、液体収容容器１０Ａの第２端部１３側の構成についての詳細を説明する。図１８は、蓋部材８５が開かれた状態の液体収容容器１０Ａの第２端部１３側の構成を示す概略斜視図である。図１９は、蓋部材８５が開かれた状態の液体収容容器１０Ａの第２端部１３の上端部位を＋Ｘ方向に見たときの概略側面図である。図２０は、蓋部材８５が開かれた状態の液体収容容器１０Ａの第２端部１３を−Ｚ方向に見たときの概略平面図である。図２１は、図２０に示す２１−２１切断における液体収容容器１０Ａの第２端部１３の概略断面図である。図２１では、蓋部材８５が閉じられた状態が図示されている。図２２は、蓋部材８５を閉じる方向に移動させているときの様子を例示する概略斜視図である。図２３は、液体消費装置５００に装着されている液体収容容器１０Ａに対する液体の注入作業の様子を示す概略斜視図である。
【０１２４】
上述したように、液体収容容器１０Ａの第２端部１３側には、液体入口３５が設けられ、さらに、液体入口３５よりも下方に、目盛３９を有する視認部３８、手掛け部４０が設けられている。以下では、視認部３８の目盛３９、手掛け部４０、液体入口３５周辺の構成、液体入口３５に対する液体の注入作業、について順に説明する。
【０１２５】
Ａ２−５−１．視認部の目盛：
第２壁部２２に設けられている視認部３８には、上述したように、目盛３９が設けられている（図１８）。液体収容容器１０Ａでは、目盛３９の少なくとも一部が、視認部３８における収容室３１の外側の外壁面２２ｏと、視認部３８における収容室３１の内側の内壁面２２ｉと、に設けられている。以下、外壁面２２ｏに設けられた目盛３９を「外側目盛３９ｏ」と呼ぶ。また、内壁面２２ｉに設けられた目盛３９を「内側目盛３９ｉ」と呼ぶ。
【０１２６】
外側目盛３９ｏは、外壁面２２ｏの凸部として構成されている。外側目盛３９ｏを構成する凸部は、Ｘ方向に延びている線状の形状を有している。外側目盛３９ｏは、収容室３１に収容される液体の量の下限を示す下限目盛３９Ｌとして形成されている。外側目盛３９ｏとしては、下限目盛３９Ｌに加えて、他の液量を示す目盛が追加されてもよい。
【０１２７】
内側目盛３９ｉは、収容室３１内の複数のリブとして構成されている。内側目盛３９ｉを構成するリブは、収容室３１内において上下方向に予め決められた間隔で配列されている。また、内側目盛３９ｉを構成するリブは、第２壁部２２と第６壁部２６との角部に設けられており、第２壁部２２と第６壁部２６とを連結するように、Ｘ方向およびＹ方向に沿って延在する略三角形状の壁部として構成されている。内側目盛３９ｉを構成する複数のリブは、開口筐体部材６０の強度を高める補強リブとしても機能する。
【０１２８】
内側目盛３９ｉは、収容室３１において最も低い位置に設けられている下限目盛３９Ｌを含む。下限目盛３９Ｌを構成する内側目盛３９ｉは、下限目盛３９Ｌを構成する外側目盛３９ｏとＹ方向に対向する位置に設けられている。
【０１２９】
液体収容容器１０Ａによれば、目盛３９として、内壁面２２ｉ側の内側目盛３９ｉと、外壁面２２ｏ側の外側目盛３９ｏと、が設けられている。そのため、ユーザーは、何らかの理由で、内側目盛３９ｉの一部の視認性が低下したとしても、外側目盛３９ｏによって収容室３１内の液体量を確認できる。また、外側目盛３９ｏについても同様に、外側目盛３９ｏの摩耗や、外側目盛３９ｏへの液体の付着などによって、その視認性が低下したとしても、内側目盛３９ｉによって収容室３１内の液体量を確認できる。このように、内側目盛３９ｉと外側目盛３９ｏのいずれかに不具合が生じたとしても、ユーザーが液量の確認をできなくなってしまう状態に陥ることが抑制される。
【０１３０】
液体収容容器１０Ａによれば、外側目盛３９ｏが第２壁部２２の外壁面２２ｏの凸部によって構成されている。そのため、例えば、液体入口３５からこぼれた液体が外側目盛３９ｏに付着して、外側目盛３９ｏの視認性が低下したとしても、ユーザーは、触覚によって外側目盛３９ｏの位置を確認することができる。
【０１３１】
液体収容容器１０Ａによれば、内側目盛３９ｉは、内壁面２２ｉに設けられたリブとして構成されている。そのため、当該リブの周りが収容室３１に収容されている液体に浸漬されると、内側目盛３９ｉの形成部位と、その周りの領域との明度や色彩の差が大きくなるため、内側目盛３９ｉの視認性が高められる。
【０１３２】
液体収容容器１０Ａによれば、下限目盛３９Ｌは、外壁面２２ｏと内壁面２２ｉの両方に設けられている。これによって、下限位置を示す目盛３９の視認性の低下が抑制されるため、液体収容容器１０Ａの液体が不足し、液体消費装置５００への液体の供給が滞ってしまう状態に陥ることが抑制される。
【０１３３】
Ａ２−５−２．手掛け部：
上述したように、液体収容容器１０Ａでは、手掛け部４０が、第１部位１５に設けられている（図４，図２１）。液体収容容器１０Ａでは、手掛け部４０によって、液体消費装置５００に対する液体収容容器１０Ａの着脱操作の際のユーザーの操作性が高められている。手掛け部４０は、液体入口３５が開口している第３壁部２３の上壁面２３ｓとは反対側の第４壁部２４の底壁面２４ｓに設けられている。これによって、液体入口３５からこぼれた液体が手掛け部４０まで到達することが抑制されており、手掛け部４０に液体が付着してしまうことが抑制される。よって、手掛け部４０を介してユーザーの身体に液体が付着してしまうことが抑制される。
【０１３４】
上述したように、液体収容容器１０Ａでは、手掛け部４０の上方に、視認部３８の下限目盛３９Ｌである外側目盛３９ｏを構成する外壁面２２ｏの凸部が設けられている。この外側目盛３９ｏを構成する凸部によって、液体入口３５からこぼれて第２壁部２２の外壁面２２ｏに伝ってきた液体を受け止めさせることができる。よって、そうした液体が、手掛け部４０（図４）にまで到達してしまうことが、さらに抑制される。
【０１３５】
液体収容容器１０Ａでは、手掛け部４０が第４壁部２４の底壁面２４ｓに設けられているため、手掛け部４０の形成領域と、第２壁部２２に設けられている視認部３８の形成領域とが干渉することが抑制されている。よって、手掛け部４０を設けた場合であっても、視認部３８の形成領域を大きくとることができる。また、手掛け部４０によって、ユーザーによる視認部３８の視認が阻害されてしまうことが抑制される。
【０１３６】
液体消費装置５００では、複数の液体収容容器１０ＡがＸ方向に配列された状態で並列に装着される（図１）。つまり、複数の液体収容容器１０Ａは、液体消費装置５００において、挿入方向と、液体収容容器１０Ａの上壁面２３ｓから底壁面２４ｓに向かう方向（図６）と、に交差する方向に配列される（図１）。上記のように、手掛け部４０が底壁面２４ｓに設けられていれば、液体消費装置５００での液体収容容器１０ＡのＸ方向における配列間隔を小さくしたとしても、ユーザーによる手掛け部４０へのアクセス性の低下は抑制される。よって、液体消費装置５００における液体収容容器１０Ａの配置領域をよりコンパクトに構成することができる。
【０１３７】
液体収容容器１０Ａでは、上記のように、視認部３８が設けられているため、液体入口３５を通じた収容室３１への液体の注入作業において、液体の注入量の過多により、液体入口３５から液体が溢れ出てしまうことが抑制される。従って、そうした溢れた液体によって手掛け部４０が汚損され、手掛け部４０を介してユーザーの身体に液体が付着してしまうことが抑制される。また、液体収容容器１０Ａでは、液体入口３５からの液体の漏洩や、液体入口３５から漏洩した液体の拡散を抑制することができる液体入口３５の周辺の種々の構成によって、手掛け部４０に液体が付着してしまうことが抑制されている。 このように、液体収容容器１０Ａでは、手掛け部４０が設けられるとともに、視認部３８がユーザーに見やすく構成されているため、ユーザーにとっての利便性が高められている。
【０１３８】
Ａ２−５−３．液体入口の周辺の構成：
（１）液体受部：
液体収容容器１０Ａには、上面壁部である第３壁部２３の上壁面２３ｓには、液体入口３５からこぼれた液体を受け入れる液体受部８０が設けられている（図１８，図２０）。液体受部８０は、液体入口３５の周囲に設けられた凹部として構成されている。液体受部８０は、入口周囲壁部３６の下端に設けられている（図１８）。液体受部８０は、液体入口３５と第２壁部２２との間の領域と、液体入口３５と第５壁部２５との間の領域と、液体入口３５と第６壁部２６との間の領域と、に設けられている（図２０）。
【０１３９】
液体収容容器１０Ａによれば、液体入口３５からこぼれた液体は、液体受部８０に受け止められる。従って、液体入口３５からこぼれた液体によって液体収容容器１０Ａの外壁面が汚損されてしまうことが抑制される。よって、液体入口３５からこぼれた液体が、ユーザーの身体に付着してしまうことが抑制される。また、液体入口３５からこぼれた液体が第２壁部２２の視認部３８まで伝っていき、目盛３９の視認性が低下してしまうことが抑制される。
【０１４０】
液体受部８０を構成する凹部には、当該凹部内の空間を複数に仕切る液体受部仕切壁８１が設けられている（図２０）。液体受部仕切壁８１は、液体受部８０内において上方に延びている壁部によって構成されている。液体収容容器１０Ａでは、液体受部８０の内部空間が液体受部仕切壁８１によって複数に分断されていることによって、液体受部８０内での液体の流動が抑制され、液体受部８０から液体がこぼれてしまうことが抑制される。よって、液体入口３５からこぼれた液体によって液体収容容器１０Ａの外壁面が汚損されてしまうことが抑制される。液体入口３５からこぼれた液体が、ユーザーの身体に付着してしまうことが、さらに抑制される。液体入口３５からこぼれた液体に起因する目盛３９の視認性の低下が、さらに抑制される。
【０１４１】
（２）凸壁部：
液体収容容器１０Ａには、第３壁部２３の上壁面２３ｓには、液体入口３５と第２壁部２２との間、つまり、液体入口３５の＋Ｙ方向側に、上方に突起する凸壁部８２が形成されている（図１８，図１９）。凸壁部８２は、ユーザーによる液体入口３５への液体の注入作業等において、液体入口３５から、液滴が＋Ｙ方向に飛散することを防止する防止壁として機能する。よって、液体による液体収容容器１０Ａの汚損や、液体注入作業中のユーザーの身体に液体が付着することが抑制される。また、第２壁部２２の外壁面２２ｏに液体が付着して目盛３９の視認性が低下してしまうことが抑制される。なお、凸壁部８２の上端部には、−Ｚ方向に窪んでいる切り欠き状の凹部８２ｒが設けられている（図１８）。凹部８２ｒの機能については後述する。
【０１４２】
（３）蓋部材：
液体収容容器１０Ａには、上面壁部である第３壁部２３の上壁面２３ｓに対して回動して、液体入口３５を開閉する蓋部材８５が設けられている（図１８〜図２３）。蓋部材８５は、第３壁部２３に対して連結部８６を介して連結されている（図１８）。連結部８６は、ヒンジ機構によって構成されており、蓋部材８５は、連結部８６の回動軸ＲＸを中心に回動する。連結部８６は、液体入口３５の−Ｙ方向側に設けられ、回動軸ＲＸは、Ｘ方向に沿って配置されている。蓋部材８５は、Ｙ方向に沿って上壁面２３ｓ上において回動する。
【０１４３】
蓋部材８５は、液体入口３５側に向く封止面８７ｓと、その反対側の外面８７ｏと、を有する（図１９）。封止面８７ｓは、蓋部材８５が＋Ｙ方向側に回動することによって、液体入口３５を覆って液体入口３５を閉塞する状態をとる（図２１）。封止面８７ｓは、蓋部材８５が−Ｙ方向側に回動することによって、液体入口３５から離れて液体入口３５を開放する状態をとる（図１８，図１９）。
【０１４４】
液体収容容器１０Ａによれば、液体の注入作業以外のときには、蓋部材８５によって液体入口３５を閉じた状態にしておけるため、液体入口３５からの液体がこぼれてしまうことを抑制することができる。よって、液体入口３５からこぼれた液体に起因する液体収容容器１０Ａの汚損が抑制される。また、液体入口３５からこぼれた液体が第２壁部２２の視認部３８に付着して、目盛３９の視認性が低下してしまうことが抑制される。液体収容容器１０Ａによれば、蓋部材８５によって液体入口３５を閉じておくことによって、液体入口３５から収容室３１への異物の進入を抑制することができる。なお、ユーザーは、蓋部材８５を閉じるときには、蓋部材８５の取り付け位置に沿って配置されている容器蓋部材６２の外周端部６６ｅの位置を基準として、蓋部材８５の位置決めをおこなうことができる（図２２）。よって、ユーザーによる蓋部材８５の操作性が高められている。
【０１４５】
封止面８７ｓには、シール部材８８が配置されている（図１８，図２１）。封止面８７ｓが液体入口３５を閉塞している状態にあるときに、シール部材８８は、入口周囲壁部３６の上端面３６ｓに当接して、液体入口３５をシールする（図２１）。シール部材８８は、例えば、エラストマーやゴムなどの樹脂部材によって構成される。液体収容容器１０Ａでは、シール部材８８によって、蓋部材８５による液体入口３５の閉塞性が高められているため、液体入口３５からの液体の漏洩がさらに抑制される。よって、液体入口３５からこぼれた液体による液体収容容器１０Ａの汚損や、目盛３９の視認性の低下が、さらに抑制される。
【０１４６】
液体収容容器１０Ａでは、第３壁部２３に、蓋部材８５の−Ｙ方向への回動を規制するストッパー部８９が設けられている（図１８，図１９，図２１）。ストッパー部８９は、液体入口３５が開放されている状態が維持されるように、蓋部材８５を、第３壁部２３の上壁面２３ｓに対して傾斜した状態で支持する（図１９）。ストッパー部８９は、連結部８６の−Ｙ方向側に設けられた上壁面２３ｓの凸構造として設けられている。
【０１４７】
ストッパー部８９は、上壁面２３ｓに対して傾斜角を有する傾斜面８９ｓを有している（図１９，図２１）。ストッパー部８９の傾斜面８９ｓは、蓋部材８５を、液体入口３５を開放する方向に回動させ、蓋部材８５の上壁面２３ｓに対する角度θが所定の角度に到達したときに、蓋部材８５の外面８７ｏ側の下端部に当接する（図１９）。蓋部材８５は自重に対する反力をストッパー部８９の傾斜面８９ｓから受けて、上壁面２３ｓに対して傾斜した状態で支持される。
【０１４８】
液体収容容器１０Ａによれば、ユーザーによる液体入口３５への液体の注入作業の際に、蓋部材８５がその注入作業の邪魔になることが抑制される。よって、ユーザーが液体の注入作業の際に誤って液体をこぼしてしまうことが抑制され、こぼれた液体による液体収容容器１０Ａの汚損や、目盛３９の視認性の低下が抑制される。また、ユーザーが液体入口３５を閉塞するために蓋部材８５を回動させようとするときに、蓋部材８５が傾斜した状態にあるため、ユーザーが蓋部材８５の外面８７ｏに指を掛けやすく、蓋部材８５を持ち上げやすい。よって、蓋部材８５の操作性が高められる。
【０１４９】
第１実施形態では、蓋部材８５がストッパー部８９に支持されているときの蓋部材８５と上壁面２３ｓとの間の＋Ｙ方向側の角度θは、１００°以上である。これによって、蓋部材８５が、ユーザーによる液体入口３５への液体の注入作業の邪魔になることがさらに抑制される。また、液体の注入作業の際に、液体入口３５から−Ｙ方向へと飛散する液滴を蓋部材８５によって受け止めることができる。よって、液体入口３５から飛散する液滴による液体収容容器１０Ａの汚損が抑制される。
【０１５０】
蓋部材８５の外面８７ｏには、連結部８６によって連結されている基端側とは反対側の先端側の端部に、外面８７ｏから突起している外面凸部９０が設けられている（図１８，図１９）。ユーザーは、蓋部材８５を開閉する際に、外面凸部９０に指を掛けることができる。よって、ユーザーによる蓋部材８５の操作が円滑化され、蓋部材８５の操作性が高められる。
【０１５１】
外面凸部９０は、封止面８７ｓに設けられている凹部である封止面側凹部９１を内部に包含している（図１８，図２１）。封止面側凹部９１は、蓋部材８５が液体入口３５を閉塞したときに、凸壁部８２を内部に受け入れて収納する（図２１）。凸壁部８２は、例えば、蓋部材８５を閉じるときの位置決めの基準として利用することができる。蓋部材８５によって液体入口３５を閉じるときに、ユーザーに、凸壁部８２を目印として、凸壁部８２に向かって外面凸部９０を回動させれば、ユーザーによる蓋部材８５の開閉操作が円滑化される。
【０１５２】
蓋部材８５の先端部には、封止面８７ｓに交差する方向に舌片状に延びている係止部９３が設けられている（図１８，図２１）。係止部９３には、蓋部材８５が液体入口３５を閉じたときに、第２壁部２２の上端において＋Ｙ方向に開口している凹部である被係止部９４に係る爪部９３ｃが形成されている。蓋部材８５の係止部９３が被係止部９４に係止することによって、蓋部材８５による液体入口３５の封止性が高められる。また、蓋部材８５が液体入口３５を閉塞した状態にあるときには、係止部９３は、第２壁部２２から＋Ｙ方向に突出している（図６）。これによって、蓋部材８５を開くときに、ユーザーが係止部９３の下側の面に指を掛けやすい。また、係止部９３は、第２壁部２２の上端から斜め下方に延びている。これによって、ユーザーが係止部９３の下側の面に指を掛けて蓋部材８５を＋Ｚ方向に回動させようとすると、係止部９３に、爪部９３ｃが被係止部９４から離間する方向の力が働く。そのため、被係止部９４から係止部９３を外しやすい。
【０１５３】
蓋部材８５が液体入口３５を閉塞している状態にあるときには、蓋部材８５の係止部９３は、第２壁部２２上に配置されている（図８）。第２壁部２２の−Ｘ方向側の端部は、容器蓋部材６２の周縁壁部６８によって構成されている。周縁壁部６８の上端部６８ｅは、第２壁部２２上に配置されているときの係止部９３の先端との間に予め決められた間隔の隙間が形成されるように、係止部９３の先端の配置位置より下方に位置している。これによって、第２壁部２２の外壁面２２ｏには、係止部９３の先端の外周形状に沿った凹部が形成されている。ユーザーは、蓋部材８５を閉じるときには、係止部９３の先端を周縁壁部６８の上端部６８ｅの位置まで移動させるべきであることを認識する。このように、容器蓋部材６２の周縁壁部６８の上端部６８ｅは、蓋部材８５によって液体入口３５を確実に閉塞させるための係止部９３の位置決め部として機能する。
【０１５４】
蓋部材８５の封止面８７ｓの第２壁部２２側の端部には、封止面８７ｓから突出している突起部９５が設けられている（図１８）。突起部９５は、＋Ｘ方向側の端と、−Ｘ方向側の端と、に設けられている。突起部９５は、連結部８６とシール部材８８との間に設けられている。突起部９５には、溝部９６が設けられている。溝部９６は、突起部９５が突出している突出方向に沿って延び、蓋部材８５の回動軸ＲＸ側に底部９６ｔを有する（図１８，図２０）。
【０１５５】
突起部９５の溝部９６は、蓋部材８５を液体入口３５に向かって回動させている間に、突起部９５の突出方向の先に、液体受部８０が位置する状態をとる（図２２）。蓋部材８５の封止面８７ｓに付着した液体は、蓋部材８５が液体入口３５を開放した状態（図１８）にある間に、重力によって溝部９６まで伝ってくる。蓋部材８５によって液体入口３５を閉じようとするときには、溝部９６に溜まっている液体は、溝部９６に誘導されて液体受部８０へと流れ、液体受部８０内に貯留される（図２２）。
【０１５６】
このように、突起部９５は封止面８７ｓに付着した液体を液体受部８０に誘導する樋として機能する。これによって、蓋部材８５の封止面８７ｓに付着した液体が、液体受部８０以外の他の部位に伝って行くことが抑制され、液体による液体収容容器１０Ａの汚損が抑制される。また、蓋部材８５の封止面８７ｓに付着した液体が第２壁部２２へと伝って視認部３８に付着し、目盛３９の視認性が低下してしまうことが抑制される。
【０１５７】
Ａ２−５−４．液体入口に対する液体の注入作業：
図１８，図２０，図２３を参照して、液体入口３５に対する液体の注入作業を説明する。液体の注入作業の際には、液体注入用具６００が用いられる（図２３）。液体注入用具は、内部に液体を収容する袋状部材６０１の端部に、袋状部材６０１内部の液体を流出させる筒状の注ぎ口６０２が取り付けられた構成を有している。注ぎ口６０２は、袋状部材６０１から延び出ている。袋状部材６０１は、張出部６０３を有している。張出部６０３は、注ぎ口６０２が取り付けられている部位から、注ぎ口６０２が延び出ている方向に交差する方向に張り出している部位である。
【０１５８】
ユーザーは、液体の注入作業を、注ぎ口６０２の開口端部を液体入口３５に向け、袋状部材６０１を傾けた状態でおこなう。ユーザーは、液体の注入作業の際には、視認部３８の目盛３９を参照して、収容室３１の液体の収容量を確認することができる。
【０１５９】
図１８には、液体注入作業がおこなわれているときの液体注入用具６００の位置を一点鎖線で例示してある。容器本体１１の第３壁部２３の上壁面２３ｓに設けられている凸壁部８２の上端部には、上述したように、凹部８２ｒが設けられている。また、容器本体１１の第２壁部２２と第３壁部２３との間の角部には、−Ｙ方向および−Ｚ方向に窪んでいる凹部９８が設けられている。２つの凹部８２ｒ，９８は、液体入口３５とＹ方向に並ぶように設けられている。より具体的には、２つの凹部８２ｒ，９８は、液体入口３５の中心軸ＣＸに交差し、Ｙ方向に平行な軸線ＰＸ上に位置するように設けられている（図２０）。
【０１６０】
液体の注入作業の際には、２つの凹部８２ｒ，９８は、液体注入用具６００の一部を受け入れる。２つの凹部８２ｒ，９８は、液体注入用具６００の張出部６０３の端部であるマチ部を受け入れて液体注入用具６００を支持する。以下、凹部８２ｒ，９８をそれぞれ「支持凹部８２ｒ，９８」とも呼ぶ。また、両者を区別する場合には、凹部８２ｒを「第１支持凹部８２ｒ」とも呼び、凹部９８を「第２支持凹部９８」とも呼ぶ。
【０１６１】
液体収容容器１０Ａによれば、液体の注入作業の際に、液体注入用具６００を第１支持凹部８２ｒに支持さることによって、液体注入用具６００の姿勢が不安定になり、液体がこぼれてしまうことが抑制される。特に、液体注入用具６００を第１支持凹部８２ｒと第２支持凹部９８の２点において支持させれば、液体の注入作業の際の液体注入用具６００の姿勢の安定性がさらに高められる。また、液体収容容器１０Ａによれば、液体注入用具６００から凸壁部８２へと伝ってくる液体を、その上端の第１支持凹部８２ｒに受け止めさせることができる。よって、液体収容容器１０Ａの外壁面に液体が付着してしまうことが、さらに抑制される。また、液体入口３５からこぼれた液体に起因する目盛３９の視認性の低下が、さらに抑制される。
【０１６２】
Ａ２−５−５．内壁部の詳細：
収容室３１内には、液体入口３５の近傍において内壁部６５が下方に垂下している （図２１）。第１実施形態では、内壁部６５は、その壁面が液体入口３５の−Ｙ方向側の内周面から連続して延在するように設けられている。液体収容容器１０Ａによれば、液体の注入作業の際に、液体入口３５から注がれた液体を、内壁部６５を伝わせて、収容室３１の底面３１ｂへと円滑に誘導することができる。よって、液体入口３５から注がれた液体によって、収容室３１内の液体が泡立つことが抑制され、液体中に気泡が混入してしまうことが抑制される。そのため、液体中の気泡に起因する液体消費装置５００に対する液体の供給性の低下が抑制される。
【０１６３】
また、収容室３１内での液体の泡立ちにより、視認部３８から視認される液面の位置が不鮮明になり、ユーザーによる視認部３８を介した液体の量の確認が困難になってしまうことが抑制される。よって、液体の注入量の過多により、液体入口３５から液体がこぼれてしまうことが抑制される。その他に、内壁部６５によって収容室３１への液体の導入が円滑化されるため、液体の注入中に液体入口３５を通じて収容室３１の外部に飛散する液滴が生じてしまうことが抑制される。よって、そうした液滴による液体収容容器１０Ａやユーザーの身体の汚損が抑制される。
【０１６４】
内壁部６５は、容器本体１１の外部から液体入口３５を見たときに少なくとも一部が見える位置に設けられていることが望ましい（図２０）。これによって、液体の注入作業の際に、ユーザーに内壁部６５の位置を視認させることができ、ユーザーが液体を内壁部６５に向かって注ぐように促すことができる。なお、この場合に、容器本体１１の外部から液体入口３５を見る方向は、図２０のように−Ｚ方向でなくてもよく、液体の注入作業の際のユーザーの位置から液体入口３５に向かう方向でよい。
【０１６５】
内壁部６５の上端は、第３壁部２３に連結され、＋Ｘ方向側の端部は、第６壁部２６に連結されている（図１０）。これによって、開口筐体部材６０の強度が高められている。また、内壁部６５の＋Ｘ方向側の端面は、フィルム部材６３に溶着されている（図１２）。これによって、液体収容容器１０Ａでは、内壁部６５の到着領域の分だけ、フィルム部材６３の溶着面積が増加しており、開口筐体部材６０に対するフィルム部材６３の接合強度が高められている。このように、液体収容容器１０Ａでは、内壁部６５は、液体収容容器１０Ａの強度や耐久性を高める収容室３１内の補強リブとして機能する。
【０１６６】
液体収容容器１０Ａでは、内壁部６５の下端６５ｅは、底面３１ｂより上方に位置している（図１１）。そのため、液体消費装置５００において収容室３１の液体が消費されていったときに、内壁部６５によって、内壁部６５より＋Ｙ方向側の領域Ａ２に、液体が残留してしまうことが抑制される。第１実施形態では、内壁部６５の下端６５ｅは、収容室３１の上面３１ｕよりも底面３１ｂに近い位置に設けられている。内壁部６５の下端６５ｅは、下限目盛３９Ｌよりも上方に位置している。より具体的には、内壁部６５の下端６５ｅは、上面３１ｕと下限目盛３９Ｌとの間のＺ方向における距離をＨとするとき、下限目盛３９Ｌの高さから（１／４）・Ｈ以下の高さに位置している。これによって、液面の位置が下限目盛３９Ｌの位置に近づくまで、内壁部６５が液体に接触する状態が維持される。よって、上述したような液体の注入作業における収容室３１内での液体の泡立ちや液滴の発生を抑制する効果を、収容室３１内の液体が下限量に近づくまでの広い範囲で得ることができる。
【０１６７】
内壁部６５は、下端６５ｅに、挿入方向に沿って突起している端部凸部１０１を有している（図２１）。端部凸部１０１は、内壁部６５の下端６５ｅにおいて厚みが局所的に増大し、内壁部６５の壁面から突起している部位として形成されている。第１実施形態では、端部凸部１０１は、液体入口３５側に向かって＋Ｙ方向に突起している。そのため、収容室３１における液面の位置が端部凸部１０１より下方に位置するときの液体の注入作業の際には、端部凸部１０１によって、内壁部６５を伝って下方に流れる液体の勢いを削ぐことができる。よって、収容室３１内の液面の位置が内壁部６５の下端６５ｅよりも下方に位置する場合であっても、液体の注入作業の際の収容室３１内における液体の泡立ちを抑制することができる。また、収容室３１内の液体の液面に液体が勢いよく衝突することによる液滴の発生が抑制される。よって、そうした液滴が液体入口３５を通じて外部に飛散し、液体収容容器１０Ａの外壁面やユーザーの身体が汚損されてしまうことが抑制される。第１実施形態では、端部凸部１０１の＋Ｚ方向に向いている上面が、Ｙ方向に沿った平面を構成している。そのため、内壁部６５を伝って流れる液体の勢いを、より効果的に和らげることができ、上述したような収容室３１内における液体の泡立ちや、液体入口３５からの液滴の飛散が、さらに抑制される。
【０１６８】
液体収容容器１０Ａでは、内壁部６５が端部凸部１０１を有していることによって、内壁部６５と収容室３１の内壁面２６ｓとの連結部が拡大されている。そのため、収容室３１の内壁面２６ｓに対して内壁部６５がより強固に固定される。また、端部凸部１０１によって、内壁部６５の下端６５ｅにおけるフィルム部材６３との溶着面積が増大している（図１２）。そのため、内壁部６５の下端６５ｅを起点として内壁部６５からフィルム部材６３が剥離することが抑制される。このように、液体収容容器１０Ａでは、内壁部６５の端部凸部１０１によって、内壁部６５の壁部２５，２６に対する固定性が高められており、内壁部６５の補強リブとしての機能がより一層高められている。
【０１６９】
内壁部６５の上端には、内壁部６５によって挿入方向に仕切られた収容室３１内の隣り合う２つの領域を互いに連通させる連通部１０２が設けられている（図１１）。連通部１０２は、内壁部６５の−Ｘ方向側の端部において局所的に＋Ｘ方向に窪んでいる凹部と、フィルム部材６３と、の間の流路として形成されている（図１１，図１２）。これによって、液体入口３５からの液体の注入作業の際に、収容室３１内の内壁部６５より挿入方向側の領域に存在する空気を、連通部１０２を通じて、液体入口３５の方へと逃がすことができる。よって、液体収容容器１０Ａへの液体の注入作業がより円滑化される。
【０１７０】
Ａ２−６．大気導入部の構成：
図２４Ａ，図２４Ｂおよび図２５を参照図として加えて、液体収容容器１０Ａに設けられている大気導入部１１０の構成を説明する。図２４Ａは、開口筐体部材６０において大気導入部１１０を構成する第２凹部６１ｂが形成されている部位を抜き出して示す概略斜視図である。図２４Ｂは、大気導入部１１０の内部構造を示す概略斜視図である。図２４Ｂでは、図２４Ａに示されている構成から大気導入部１１０の上方を覆っている壁部を省略してある。図２５は、開口筐体部材６０における図２４Ａと同じ部位を＋Ｘ方向に見たときの概略側面図である。
【０１７１】
大気導入部１１０は、収容室３１の上方に設けられている（図１０〜図１３）。大気導入部１１０は、挿入方向における第１壁部２１側の領域において、挿入方向に沿って設けられている。大気導入部１１０は、レール部４１の下方に設けられている。大気導入部１１０は、収容室３１と液体収容容器１０Ａの外部とを接続する。液体収容容器１０Ａでは、収容室３１での液体の消費に伴って、大気導入部１１０を通じて、収容室３１に外気が導入される。大気導入部１１０は、収容室大気口１１１と、容器大気口１１２と、大気通路１１３と、を有する（図２４Ａ，図２４Ｂ）。
【０１７２】
収容室大気口１１１は、収容室３１において開口している（図２４Ａ，図２４Ｂ）。収容室大気口１１１は、収容室３１に対する空気の出入口として機能する。収容室大気口１１１は、開口筐体部材６０の壁部６０ｗの−Ｘ方向側の端部において局所的に−Ｘ方向に窪むように設けられた凹部と、フィルム部材６３と、の間に形成される貫通孔として構成されている（図１２）。
【０１７３】
収容室大気口１１１は、収容室３１の長手方向における中央部位に設けられている（図１１，図１２）。上述したように、本明細書において「中央」は実質的に中央の位置であることを意味しており、両端からある程度、離れている位置を意味し、「中央部位」は、両端からある程度離れている部位を意味する。収容室３１の長手方向であるＹ方向における長さをＬとするとき、収容室大気口１１１は、収容室３１のＹ方向における中心を中心とし、Ｙ方向における幅が０．５・Ｌ以内の領域内に形成されている。収容室大気口１１１は、収容室３１のＹ方向における中心から離れすぎない位置に設けられていることが望ましい。前述の収容室大気口１１１の形成領域のＹ方向における幅は、０．３・Ｌ以内であることが望ましく、０．１・Ｌ以内であることがより望ましい。
【０１７４】
容器大気口１１２は、第６壁部２６の＋Ｘ方向側の壁面である外壁面において開口している（図２４Ａ，図２４Ｂ）。図２４Ａおよび図２５では、容器大気口１１２は見えないため、便宜上、破線で図示してある。容器大気口１１２は、容器本体１１の外部において開口し、大気導入部１１０と液体収容容器１０Ａの外部との間の空気の出入口として機能する。容器大気口１１２は、第１端部１２において開口している（図２５）。容器大気口１１２は、第１壁部２１（図１１）の近傍において開口している。なお、容器大気口１１２は、大気通路１１３の上側の領域において第６壁部２６からＸ方向に沿って延びている貫通孔として構成されている貫通流路１１５を通じて、大気通路１１３に接続されている。貫通流路１１５の−Ｘ方向側の端部は、Ｘ方向における第５壁部２５（図１０）に寄った位置において開口している（図２４Ｂ）。
【０１７５】
大気通路１１３は、挿入方向に沿って延び、収容室大気口１１１と容器大気口１１２とに接続されている空気の通路である（図２４Ａ，図２４Ｂ，図２５）。大気通路１１３は、収容室大気口１１１と容器大気口１１２との間に設けられた通路仕切壁１１６によって、＋Ｙ方向側の第１大気通路部１２１と、−Ｙ方向側の第２大気通路部１２２と、に仕切られている。通路仕切壁１１６は、挿入方向において、収容室大気口１１１よりも容器大気口１１２および貫通流路１１５に近い位置に設けられている（図２５）。通路仕切壁１１６の＋Ｘ方向側の端部は、第６壁部２６の内壁面２６ｓに連結され、−Ｘ方向側の端部は、フィルム部材６３に溶着される（図１０）。
【０１７６】
第１大気通路部１２１と第２大気通路部１２２とは、通路仕切壁１１６を厚み方向に貫通する大気連通部１１７を介して互いに連通している（図２４Ａ，図２４Ｂ，図２５）。第１実施形態では、大気連通部１１７は、通路仕切壁１１６を挿入方向に貫通している。液体収容容器１０Ａでは、大気連通部１１７は、通路仕切壁１１６の−Ｘ方向側の端部を局所的に＋Ｘ方向に窪ませて形成された凹部とフィルム部材６３との間に形成される貫通孔として構成される（図１１，図１２）。大気連通部１１７は、通路仕切壁１１６の上端に設けられている（図２５）。
【０１７７】
収容室大気口１１１は、第１大気通路部１２１に設けられている（図２４Ａ，図２４Ｂ，図２５）。収容室大気口１１１は、第１大気通路部１２１の下端に設けられている。収容室大気口１１１は、第１大気通路部１２１において＋Ｙ方向における端部に位置している。また、収容室大気口１１１は、第１大気通路部１２１において−Ｘ方向における端部に位置している。
【０１７８】
容器大気口１１２は、貫通流路１１５を介して、第２大気通路部１２２に接続されている（図２４Ｂ，図２５）。容器大気口１１２は、貫通流路１１５を介して、第２大気通路部１２２の−Ｙ方向側の端部に接続されている。容器大気口１１２は、貫通流路１１５を介して、第２大気通路部１２２の下端よりも上端に近い位置において第２大気通路部１２２に接続されている。
【０１７９】
大気通路１１３は、容器大気口１１２から収容室大気口１１１に向かう方向に下降傾斜している底面である傾斜壁面１１８を有する（図２４Ａ，図２４Ｂ，図２５）。傾斜壁面１１８は、第１大気通路部１２１に設けられている。傾斜壁面１１８は、収容室大気口１１１に接続されている。傾斜壁面１１８は、収容室大気口１１１に向かって、＋Ｙ方向に次第に低くなるように傾斜している（図２５）。また、傾斜壁面１１８は、収容室大気口１１１に向かって、−Ｘ方向に次第に低くなるように傾斜している（図２４Ａ，図２５Ｂ）。
【０１８０】
第１大気通路部１２１および第２大気通路部１２２にはそれぞれ、Ｘ方向に沿って延在している１つまたは複数の通路リブ１２３が設けられている（図２４Ｂ）。第１大気通路部１２１には、複数の通路リブ１２３が、所定の間隔でＹ方向に配列されている。第２大気通路部１２２には、１つの通路リブ１２３が、−Ｙ方向側の端部に寄った位置に設けられている。
【０１８１】
各通路リブ１２３は、大気通路１１３においてＺ方向にわたって延在している（図２５）。各通路リブ１２３は、大気通路１１３の＋Ｘ方向側の端部から−Ｘ方向に延在している（図２４Ｂ）。各通路リブ１２３の−Ｘ方向側の端部は、大気通路１１３における大気の流通を妨げないように、Ｘ方向における大気通路１１３の端部より、＋Ｘ方向側に位置している。
【０１８２】
第２大気通路部１２２では、通路リブ１２３は、貫通流路１１５の＋Ｙ方向側において、貫通流路１１５に沿ってＸ方向に延びている（図２４Ｂ）。第２大気通路部１２２の通路リブ１２３の−Ｘ方向側の端部は、貫通流路１１５の−Ｘ方向側の端部よりも−Ｘ方向に突出している。
【０１８３】
液体収容容器１０Ａでは、大気導入部１１０は、収容室３１の上方において、容器本体１１のＹ方向における中央よりも第１壁部２１側の領域に設けられている（図１０，１１）。これに対して、液体入口３５は、容器本体１１のＹ方向における中央よりも第２壁部２２側の領域に設けられている。このように、液体収容容器１０Ａでは、大気導入部１１０が、液体入口３５から−Ｙ方向に離間した位置に形成されている。そのため、大気導入部１１０との干渉を避けつつ、液体入口３５のＹ方向における開口幅を拡大して、液体入口３５の開口面積を大きくすることができる。また、大気導入部１１０と液体入口３５とがＹ方向に直列に配列されているため、それらをＸ方向に並列に配列される部位を有するように構成した場合よりも、容器本体１１のＸ方向における幅を小さくし、液体収容容器１０Ａをコンパクトにすることができる。
【０１８４】
液体収容容器１０Ａの大気導入部１１０では、容器大気口１１２は、大気通路１１３に対して、収容室大気口１１１よりも上方の位置において接続されている（図２４Ｂ，図２５）。そのため、大気通路１１３に液体が入り込んだとしても、その液体が、大気通路１１３から容器大気口１１２まで到達することが抑制される。よって、容器大気口１１２から液体が漏れ出ることが抑制される。
【０１８５】
液体収容容器１０Ａの大気導入部１１０では、大気通路１１３が傾斜壁面１１８を有している（図２５）。従って、収容室大気口１１１を通じて大気通路１１３に液体が入り込んだとしても、当該液体は、重力によって傾斜壁面１１８に沿って収容室大気口１１１へと誘導され、収容室３１に戻される。よって、大気導入部１１０を通じて、収容室３１の液体が漏洩してしまうことが抑制される。
【０１８６】
液体収容容器１０Ａの大気導入部１１０では、収容室大気口１１１は、収容室３１のＹ方向における中央部位に設けられている（図２５）。収容室３１のＹ方向における中央部位では、収容室３１の液面が、収容室３１のＹ方向における両端が交互に上下に変位するように揺動したときの液面の変位が比較的小さい。よって、収容室３１の液面が大きく揺動したとしても、収容室大気口１１１を通じて収容室３１の液体が大気導入部１１０に入り込んでしまうことが抑制され、大気導入部１１０を通じた液体収容容器１０Ａの外部への液体の漏洩が抑制される。第１実施形態の液体収容容器１０Ａでは、Ｙ方向は収容室３１の長手方向に一致する。こうした収容室３１では、その長手方向における両端において液面の位置が交互に変位する液体の揺動が生じやすい。また、そうした揺動が生じたときの長手方向における中央部位では、他の部位に比較して、液面の変位が、より一層、抑制される。よって、収容室３１がＹ方向を長手方向とする形状を有している液体収容容器１０Ａでは、そうした液体の揺動によって、収容室大気口１１１に液体が入り込んでしまうことがより一層、抑制される。なお、上述したような収容室３１における液面の揺動は、例えば、液体収容容器１０Ａを振って収容室３１内の液体を攪拌する作業がおこなわれる際や、液体消費装置５００に対する液体収容容器１０Ａの着脱操作の際、液体収容容器１０Ａの運搬の際などに生じる。
【０１８７】
液体収容容器１０Ａの大気導入部１１０では、大気通路１１３が、通路仕切壁１１６によって、第１大気通路部１２１と、第２大気通路部１２２と、に仕切られている（図２４Ａ，図２４Ｂ，図２５）。そのため、収容室大気口１１１を通じて、大気導入部１１０に液体が入り込んだとしても、第１大気通路部１２１から第２大気通路部１２２へと液体が移動することが抑制される。よって、大気導入部１１０を通じて液体収容容器１０Ａの外部に液体が漏洩することが抑制される。
【０１８８】
液体収容容器１０Ａの大気導入部１１０では、収容室大気口１１１は、第１大気通路部１２１において、通路仕切壁１１６とは反対側の端部に設けられている（図２４Ｂ，図２５）。このように、収容室大気口１１１が通路仕切壁１１６から離れた位置に設けられているため、収容室大気口１１１から第１大気通路部１２１に入り込んだ液体が、通路仕切壁１１６まで到達することが抑制される。
【０１８９】
また、液体収容容器１０Ａでは、通路仕切壁１１６が、収容室大気口１１１よりも容器大気口１１２および貫通流路１１５に近い位置に設けられており、収容室大気口１１１と通路仕切壁１１６との間の距離がより一層、長くとられている（図２４Ｂ，図２５）。よって、第１大気通路部１２１に入り込んだ液体が、通路仕切壁１１６まで到達することが、さらに抑制される。
【０１９０】
液体収容容器１０Ａでは、第１大気通路部１２１および第２大気通路部１２２のそれぞれに通路リブ１２３が設けられている。これによって、大気通路１１３を構成する壁部の変形によって、各大気通路部１２１，１２２において大気の流通経路が遮断されてしまうことが抑制されている。また、第１大気通路部１２１では、通路リブ１２３によって、第１大気通路部１２１に入り込んだ液体が、通路仕切壁１１６まで到達することが抑制されている。第２大気通路部１２２では、上述したように、通路リブ１２３の−Ｘ方向側の端部が貫通流路の−Ｘ方向側の端部よりも−Ｘ方向側に位置している。これによって、第２大気通路部１２２まで到達した液体が、貫通流路１１５へと入り込んでしまうことが抑制される。
【０１９１】
液体収容容器１０Ａでは、第１大気通路部１２１と第２大気通路部１２２とを連通する大気連通部１１７は、通路仕切壁１１６の上端に設けられている（図２４Ｂ，図２５）。これによって、第１大気通路部１２１に入り込んだ液体が通路仕切壁１１６をのり越えて第２大気通路部１２２に到達することが、さらに抑制される。
【０１９２】
液体収容容器１０Ａの大気導入部１１０では、容器大気口１１２は、第２大気通路部１２２における通路仕切壁１１６とは反対側の端部において接続されている（図２４Ｂ，図２５）。このように、容器大気口１１２が、通路仕切壁１１６から離れた位置において第２大気通路部１２２に接続されているため、通路仕切壁１１６を越えて第２大気通路部１２２に入り込んだ液体が、容器大気口１１２まで到達することが、さらに抑制される。また、液体収容容器１０Ａでは、第２大気通路部１２２に対する容器大気口１１２の接続位置が、第２大気通路部１２２の上端に寄った位置であるため、第２大気通路部１２２の液体が容器大気口１１２まで到達することがさらに困難になっている。
【０１９３】
図１１，図１２を参照して説明したように、液体収容容器１０Ａでは、開口筐体部材６０の各凹部６１ａ，６１ｂ，６１ｃを、フィルム部材６３によって閉塞することによって、収容室３１と大気導入部１１０と出口流路７８とが形成されている。このように、液体収容容器１０Ａによれば、容器本体１１の内部に収容室３１と出口流路７８と大気導入部１１０とが、簡素な構成により、簡易に構成されている。
【０１９４】
Ａ２−７．液体供給部に対する液体収容容器の装着：
図２６，図２７および図２８を参照図として加えて、液体消費装置５００の液体供給部５２０に対する液体収容容器１０Ａの装着状態を説明する。図２６は、複数の液体収容容器１０Ａが装着されている液体供給部５２０を示す概略斜視図である。図２７は、複数の液体収容容器が装着されている液体供給部５２０を−Ｚ方向に見たときの概略平面図である。図２８は、図２７に示す２８−２８切断における液体収容容器１０Ａと液体供給部５２０の概略断面図である。なお、図２８では、便宜上、断面のハッチングが省略されている。
【０１９５】
液体供給部５２０は、＋Ｙ方向に延び出ている液体供給管５２３を有する（図２８）。液体収容容器１０Ａが装着されると、液体供給管５２３の＋Ｙ方向側の先端部が、液体収容容器１０Ａの液体出口３３に挿入されて接続される。液体供給管５２３は、可撓性を有するチューブ５１３に接続されている（図２６〜図２８）。液体供給部５２０は、吸引ポンプ５２４が発生させる吸引力によって、液体出口３３から液体供給管５２３へと、液体収容容器１０Ａの収容室３１の液体を流出させ、チューブ５１３を通じて、当該液体をヘッド５１１（図１）へと供給する。
【０１９６】
液体供給部５２０は、液体供給管５２３の下方に、図１７を参照して説明したロッド５２５を有している（図２８）。ロッド５２５は、液体供給管５２３と並列に＋Ｙ方向に延び出ている。ロッド５２５は、上述したように、液体収容容器１０Ａが液体供給部５２０に装着されるときに、液体収容容器１０Ａの第２凹部５５ｂに挿入される。
【０１９７】
液体供給部５２０は、さらに、液体供給管５２３の上方に、装置側端子部５２６を有している（図２８）。装置側端子部５２６は、液体収容容器１０Ａの電気的接続部５０に電気的に接触する接続端子５２７を有している。上述したように、液体収容容器１０Ａが液体供給部５２０に装着されると、装置側端子部５２６の接続端子５２７が上方から電気的接続部５０の電極板５３（図９）に接触する。
【０１９８】
液体供給部５２０は、その底面部に識別部材５２８を有する。識別部材５２８は、底面部から上方に突起する矩形状の構造物として構成されている。液体収容容器１０Ａが液体供給部５２０に装着されたときに、識別部材５２８は、液体収容容器１０Ａの第１壁部２１の下端の角部に設けられている凹部５８に収容される。
【０１９９】
液体消費装置５００に装着される複数の液体収容容器１０Ａの凹部５８の内壁面はそれぞれ、収容している液体の種類（第１実施形態では、例えば、インクの色）に応じて異なる形状を有している。液体供給部５２０の識別部材５２８は、装着される液体収容容器１０Ａが有する凹部５８の内壁面の形状に嵌合する形状を有している。これによって、液体収容容器１０Ａが、間違った装着部に挿入されてしまうことが抑制される。
【０２００】
Ａ２−８．レール部の機能：
図２６を参照する。液体消費装置５００の液体供給部５２０が有する容器挿入口５２１の上端には、Ｙ方向に沿って延びるガイド溝５２２が設けられている。ガイド溝５２２は、液体収容容器１０Ａの上壁面２３ｓにおいて突起し、挿入方向に沿って延びている第１レール部４１が嵌まる形状を有している。なお、容器挿入口５２１の下端には、液体収容容器１０Ａの底壁面２４ｓにおいて突起し、挿入方向に沿って延びている第２レール部４２が嵌まる形状を有するガイド溝５２２が設けられている（図２８）。
【０２０１】
液体収容容器１０Ａが液体消費装置５００に装着される際には、ガイド溝５２２に第１レール部４１が挿入されることによって、容器挿入口５２１に対する液体収容容器１０Ａの挿入がガイドされる。従って、ユーザーによる液体消費装置５００の液体供給部５２０に対する液体収容容器１０Ａの着脱操作が容易化される。特に、液体収容容器１０Ａでは、上下に設けられている２つのレール部４１，４２によって液体収容容器１０Ａの挿入がガイドされるため、液体消費装置５００に対する液体収容容器１０Ａの挿入の際の液体収容容器１０Ａの姿勢がより一層、安定化される。
【０２０２】
なお、２つのレール部４１，４２は、装着状態において、ガイド溝５２２よりも＋Ｙ方向に延び出ている。これによって、液体消費装置５００に対する装着が完了するまで、液体収容容器１０Ａの挿入がガイドされる。また、２つのレール部４１，４２のＹ方向の長さが長いため、液体収容容器１０Ａは、Ｙ方向におけるガイド溝の長さが長いタイプの種々の液体消費装置に対して安定した姿勢での挿入操作が可能である。
【０２０３】
図５，図７，図１０〜図１２を参照して、液体収容容器１０Ａの製造工程を説明する。レール部４１，４２は、液体収容容器１０Ａの組立の際の位置決めの基準部位として機能する。
【０２０４】
第１工程では、開口筐体部材６０が準備される（図１０）。この工程では、レール部４１，４２が、開口筐体部材６０を取り回すためのハンドリング部として利用されてもよい。第１工程では、開口筐体部材６０の凹部５１内に電気的接続部５０が取り付けられる。また、開口筐体部材６０のフィルター室７１内にフィルター７２が配置され、フィルター室７１がフィルム部材７４によって封止される。第１工程では、開口筐体部材６０に対してフィルム部材６３が溶着され、開口筐体部材６０の各凹部６１ａ，６１ｂ，６１ｃの開口が一度に閉塞される（図１２）。
【０２０５】
第２工程では、フィルム部材６３が溶着された開口筐体部材６０に対して、容器蓋部材６２（図１０）が取り付けられる。容器蓋部材６２が開口筐体部材６０に対して適切に取り付けられた状態では、容器蓋部材６２の周縁壁部６７の＋Ｘ方向側の端面６７ｔがレール部４１，４２に当接する（図５，図７）。周縁壁部６７の＋Ｘ方向側の端面６７ｔは、周縁壁部６７は、レール部４１，４２に対して、挿入方向に沿って線状に延びている接触領域ＣＡにおいて接触する。なお、第２工程では、容器蓋部材６２の本体壁部６６によってフィルム部材６３が覆われるとともに、周縁壁部６７の一部であるフィルター室壁部６７ｆによって、フィルター室７１を封止しているフィルム部材７４が覆われる（図７）。
【０２０６】
このように、第２工程では、容器蓋部材６２の周縁壁部６７は、容器蓋部材６２が開口筐体部材６０に取り付けられたときに、レール部４１，４２に当接して、容器蓋部材６２の位置決めをする位置決め部として機能する。そして、レール部４１，４２は、容器蓋部材６２の位置決めのための基準部位として機能する。
【０２０７】
液体収容容器１０Ａによれば、開口筐体部材６０において、確認しやすく目立つレール部４１，４２に対して、容器蓋部材６２の位置決めがされる。従って、液体収容容器１０Ａの製造時に、容器蓋部材６２と開口筐体部材６０との間に隙間が生じてしまうことが抑制される。よって、そうした隙間から液体収容容器１０Ａに異物が入り込んでしまうことが抑制される。よって、例えば、フィルム部材６３，７４が破れるなど、そうした異物の進入による液体収容容器１０Ａの故障の発生が抑制される。
【０２０８】
液体収容容器１０Ａによれば、周縁壁部６７は、レール部４１，４２に対して、挿入方向に沿って線状に延びている接触領域ＣＡにおいて接触する。このように、位置決め部とその基準部位との接触領域が大きいため、レール部４１，４２に対する容器蓋部材６２の位置決め精度が高められている。よって、開口筐体部材６０と容器蓋部材６２との間に隙間が生じてしまうことが、さらに抑制される。
【０２０９】
液体収容容器１０Ａによれば、各レール部４１，４２は、上壁面２３ｓまたは底壁面２４ｓのＸ方向における中央部位に設けられている。そのため、製造工程においては、レール部４１，４２に容器蓋部材６２の周縁壁部６７を当接させるために、容器蓋部材６２の周縁壁部６７が開口筐体部材６０の外壁面に対してＸ方向に深く乗り上げるように押し込まれることになる。よって、開口筐体部材６０と容器蓋部材６２との間の隙間の発生が、さらに抑制される。液体収容容器１０Ａでは、周縁壁部６７が有するフィルター室壁部６７ｆも、第２レール部４２の−Ｙ方向側の端部に当接して、容器蓋部材６２の位置決めをする位置決め部のひとつとして機能する（図７）。これによって、開口筐体部材６０と容器蓋部材６２との間の隙間の発生が、さらに抑制されている。
【０２１０】
液体収容容器１０Ａの製造工程では、容器蓋部材６２の位置決めの基準として、液体消費装置５００に液体収容容器１０Ａが着脱される際のガイド部として機能するレール部４１，４２を利用している。従って、開口筐体部材６０に新たに容器蓋部材６２の位置決め部を設ける場合よりも効率的である。
【０２１１】
上記の第２工程では、液体受部８０を構成する凹部や液体入口３５、蓋部材８５の取り付け位置を、容器蓋部材６２の外周端部６２ｅの配置位置の目印として開口筐体部材６０に容器蓋部材６２を取り付けることができる。つまり、容器蓋部材６２の外周端部６６ｅを、容器蓋部材６２を開口筐体部材６０に取り付けるときの位置決め部のひとつとして利用することができる。これによって、開口筐体部材６０と容器蓋部材６２との間に隙間が生じてしまうことが抑制される。なお、容器蓋部材６２の外周端部６２ｅと開口筐体部材６０との間に隙間が生じていたとしても、異物が液体受部８０を構成する凹部に受け止められるため、当該隙間に異物が入り込んでしまうことが抑制される。また、液体入口３５からこぼれた液体が液体受部８０に受け止められるため、容器蓋部材６２の汚損による劣化が抑制される。そのため、容器蓋部材６２を開口筐体部材６０から取り外す際に、その作業をおこなう者の身体に液体が付着してしまうことが抑制される。
【０２１２】
また、上記の第２工程では、手掛け部４０を、容器蓋部材６２の端部部位６７ｅの配置位置の目印として、開口筐体部材６０に容器蓋部材６２を取り付けることができる。つまり、容器蓋部材６２の端部部位６７ｅを、容器蓋部材６２を開口筐体部材６０に取り付けるときの位置決め部のひとつとして利用することもできる。このように、液体収容容器１０Ａでは、容器蓋部材６２が、位置決め部として機能させることができる部位を複数、有している。従って、開口筐体部材６０と容器蓋部材６２との間に隙間が生じてしまうことがさらに抑制されている。
【０２１３】
Ａ３．第１実施形態のまとめ：
以上のように、第１実施形態の液体収容容器１０Ａによれば、ユーザーが視認部３８を介した液量の確認をできなくなってしまう状態に陥ることが抑制される。よって、ユーザーによる液体収容容器に収容されている液体量の確認作業が困難になることが抑制される。その他に、第１実施形態の液体収容容器１０Ａによれば、第１実施形態中で説明した種々の作用効果を得ることができる。
【０２１４】
Ｂ．第２実施形態：
図２９を参照して、第２実施形態の液体収容容器１０Ｂの構成を説明する。図２９は、第２実施形態の液体収容容器１０Ｂが備える開口筐体部材６０Ｂを＋Ｘ方向に見たときの概略側面図である。図２９には、液体収容容器１０Ａが装着状態にあるときの水平方向に平行な軸線ＨＸを図示してある。第２実施形態の液体収容容器１０Ｂの構成は、収容室３１が傾斜している底面３１ｂＢを有し、補強壁部６４が省略されている点以外は、第１実施形態の液体収容容器１０Ａの構成とほぼ同じである。第２実施形態の液体収容容器１０Ｂは、第１実施形態で説明した液体消費装置５００に装着される。
【０２１５】
第２実施形態の液体収容容器１０Ｂでは、収容室３１の底面３１ｂＢは、挿入方向において液体入口３５側よりもフィルター室７１側が下方に位置するように、フィルター室７１に向かって下降傾斜している。収容室３１の底面３１ｂＢは、−Ｙ方向に向かって、次第に低くなるように傾斜している。これによって、フィルター室７１への液体の流動性をより高めることができ、液体収容容器１０Ｂの液体消費装置５００に対する液体の供給性能が高められている。また、収容室３１の液体が残り少なくなったとしても、底面３１ｂＢの水平に対する傾斜によって、残りの液体をフィルター室７１へと誘導することができる。よって、収容室３１に液体が残留してしまうことが抑制される。よって、ユーザーが視認部３８を介して液体が残留していることを確認しているのに、液体収容容器１０Ｂからの液体消費装置５００に対する液体の供給が不意に止まってしまう状態に陥ることが抑制される。なお、底面３１ｂＢは、フィルター室７１への液体の流動を促進させることができる一方で、底面３１ｂＢに沈降している異物がフィルター室７１へと誘導されることが抑制される程度のわずかな傾斜角を有していることが望ましい。なお、第２実施形態の収容室３１においても、第１実施形態で説明した補強壁部６４（図１１）が設けられてもよい。
【０２１６】
以上のように、第２実施形態の液体収容容器１０Ｂによれば、フィルター室７１に向かって傾斜している収容室３１の底面３１ｂＢを有することによって、液体消費装置５００に対する液体の供給性能が高められている。その他に、第２実施形態の液体収容容器１０Ｂによれば、第１実施形態の液体収容容器１０Ａと同様な種々の作用効果を奏することができる。
【０２１７】
Ｃ．第３実施形態：
図３０を参照して、第３実施形態の液体収容容器１０Ｃの構成を説明する。図３０は、第３実施形態の液体収容容器１０Ｃに設けられているフィルター室７１のＹ方向に沿った切断面における構成を模式的に表した概略断面図である。第３実施形態の液体収容容器１０Ｃの構成は、フィルター室７１に、第１実施形態で説明したフィルター７２に代えて、フィルター７２Ｃが配置されている点以外は、第１実施形態の液体収容容器１０Ａの構成とほぼ同じである。第３実施形態の液体収容容器１０Ｃは、第１実施形態で説明した液体消費装置５００に装着される。
【０２１８】
第３実施形態のフィルター７２Ｃは、液体が通過する細孔の目の粗さが異なる２以上の部材が積層された多層構造を有する。より具体的には、フィルター７２Ｃは、目の粗い第１フィルター層ｆ１が下層に配置され、目の細かい第２フィルター層ｆ２が上層に配置されている二層構造を有している。
【０２１９】
第３実施形態の液体収容容器１０Ｃによれば、フィルター７２Ｃによって、種々の大きさの異物を効率よく除去することができ、フィルター７２Ｃの目詰まりの発生を抑制できる。なお、フィルター７２Ｃは二層構造に限定されることはい。フィルター７２Ｃは、除去対象として想定される異物のサイズの幅に応じて、さらに、複数の層が積層された構成にされてもよい。
【０２２０】
以上のように、第３実施形態の液体収容容器１０Ｃによれば、多層構造を有するフィルター７２Ｃによって、液体中の異物の除去性能が高められている。その他に、第３実施形態の液体収容容器１０Ｃによれば、第１実施形態の液体収容容器１０Ａと同様な種々の作用効果を奏することができる。
【０２２１】
Ｄ．第４実施形態：
図３１Ａ，図３１Ｂを参照して、第４実施形態の液体収容容器１０Ｄの構成を説明する。図３１Ａは、第４実施形態の液体収容容器１０Ｄの収容室３１に設けられている内壁部６５Ｄの構成を示す概略斜視図である。図３１Ｂは、第４実施形態の液体収容容器１０Ｄの収容室３１に設けられている内壁部６５Ｄを＋Ｘ方向に見たときの概略側面図である。第４実施形態の液体収容容器１０Ｄの構成は、第１実施形態で説明した内壁部６５の代わりに、配置角度が異なる内壁部６５Ｄを備えている点以外は、第１実施形態の液体収容容器１０Ａの構成とほぼ同じである。第４実施形態の液体収容容器１０Ｄは、第１実施形態で説明した液体消費装置５００に装着される。
【０２２２】
第４実施形態の内壁部６５Ｄは、配置角度が異なっている点以外は、第１実施形態の内壁部６５とほぼ同じ構成を有している。内壁部６５Ｄは、下端６５ｅが上端よりも第２壁部２２の近くに位置するように、傾斜した状態で、上面３１ｕから垂下している。
【０２２３】
第４実施形態の液体収容容器１０Ｄによれば、液体入口３５からの液体の注入作業において、注入される液体に異物が含まれていたとしても、当該異物を、内壁部６５Ｄによって、第２壁部２２の方へと誘導することができる。よって、フィルター７２まで異物が到達することが抑制され、フィルター７２の目詰まりの発生が抑制される。その他に、第４実施形態の液体収容容器１０Ｄによれば、第１実施形態の液体収容容器１０Ａと同様な種々の作用効果を奏することができる。
【０２２４】
Ｅ．第５実施形態：
図３２Ａ，図３２Ｂを参照して、第５実施形態の液体収容容器１０Ｅの構成を説明する。図３２Ａは、第５実施形態の液体収容容器１０Ｅの収容室３１に設けられている内壁部６５ａ，６５ｂの構成を示す概略斜視図である。図３２Ｂは、第５実施形態の液体収容容器１０Ｅの収容室３１に設けられている内壁部６５ａ，６５ｂを＋Ｘ方向に見たときの概略側面図である。第５実施形態の液体収容容器１０Ｅの構成は、第１実施形態で説明した内壁部６５の代わりに、一対の内壁部６５ａ，６５ｂを備えている点以外は、第１実施形態の液体収容容器１０Ａの構成とほぼ同じである。第５実施形態の液体収容容器１０Ｅは、第１実施形態で説明した液体消費装置５００に装着される。
【０２２５】
第５実施形態の一対の内壁部６５ａ，６５ｂのそれぞれは、以下に説明する点以外は、第１実施形態の内壁部６５とほぼ同じ構成を有している。第１内壁部６５ａは、液体入口３５の−Ｙ方向側に位置し、第２内壁部６５ｂは液体入口３５の＋Ｙ方向側に位置している。第１内壁部６５ａは、第２内壁部６５ｂに向かう方向に下降傾斜している。第１内壁部６５ａの下端は、Ｚ方向において液体入口３５の開口領域と重なり、第２内壁部６５ｂから−Ｙ方向に離間した位置にある。第１内壁部６５ａの下端は、第２内壁部６５ｂの下端よりも上方に位置している。
【０２２６】
第２内壁部６５ｂは、第２壁部２２から離れる方向に向かって下降傾斜している。第２内壁部６５ｂの下端は、Ｚ方向において液体入口３５の開口領域と重なる位置にある。第２内壁部６５ｂの下端６５ｅに設けられている端部凸部１０１は、−Ｙ方向に突起している。第２内壁部６５ｂの端部凸部１０１は、−Ｙ方向に第２内壁部６５ｂの厚みを局所的に増大させることによって形成されている。
【０２２７】
液体収容容器１０Ｅでは、ユーザーが液体入口３５から注ぐ液体は、第１内壁部６５ａの液体入口３５側の面に沿って第２内壁部６５ｂの方に誘導された後、第２内壁部６５ｂの液体入口３５側の面に沿って、収容室３１の底面３１ｂへと伝っていく。このように、液体入口３５から注がれる液体は、２枚の内壁部６５ａ，６５ｂによって流入方向を変えられながら収容室３１に注入される。よって、その勢いが２枚の内壁部６５ａ，６５ｂによって２段階で減殺されるため、収容室３１内の液体が泡立つことが、より一層、抑制される。
【０２２８】
また、２枚の内壁部６５ａ，６５ｂのそれぞれに設けられている端部凸部１０１の上端において、注がれる液体中に含まれている異物を捕捉させることができる。よって、フィルター７２まで液体中の異物が到達することが抑制され、フィルター７２の目詰まりが抑制される。
【０２２９】
液体収容容器１０Ｅでは、液体入口３５より第２壁部２２側に位置している第２内壁部６５ｂによって、液体入口３５から注がれた液体による液面の波立ちが、第２壁部２２の視認部３８に面している液面にまで伝わることが抑制される。よって、液体入口３５からの液体の注入作業の際に、視認部３８を介した収容室３１内の液量の確認が不正確になってしまうことが抑制される。
【０２３０】
液体収容容器１０Ｅでは、２枚の内壁部６５ａ，６５ｂによって、開口筐体部材６０の強度が高められている。また、開口筐体部材６０に対する容器蓋部材６２の接合強度が高められている。その他に、第５実施形態の液体収容容器１０Ｅによれば、第１実施形態の液体収容容器１０Ａと同様な種々の作用効果を奏することができる。
【０２３１】
Ｆ．第６実施形態：
図３３を参照して、第６実施形態の液体収容容器１０Ｆの構成を説明する。図３３は、第６実施形態の液体収容容器１０Ｆの第１端部１２側の部位を示す概略斜視図である。第６実施形態の液体収容容器１０Ｆの構成は、電気的接続部５０が着脱可能に構成されている点以外は、第１実施形態の液体収容容器１０Ａの構成とほぼ同じである。第６実施形態の液体収容容器１０Ｆは、第１実施形態で説明した液体消費装置５００に装着される。
【０２３２】
液体収容容器１０Ｆでは、電気的接続部５０が配置される凹部５１を含む第１壁部２１と第３壁部２３の角部の一部が、開口筐体部材６０から分離された別の部材として構成されている。当該部材は、電気的接続部５０が配置されて、コネクターユニット１２５を構成する。コネクターユニット１２５は、開口筐体部材６０に対して係合する係合部１２６を有しており、開口筐体部材６０に対して着脱可能に構成されている。
【０２３３】
液体収容容器１０Ｆによれば、液体収容容器１０Ｆのメンテナンス時にコネクターユニット１２５を容器本体１１から分離させておくことによって、電気的接続部５０への液体の付着を抑制できる。また、液体収容容器１０Ｆが不意に落下してしまった場合などに、コネクターユニット１２５が液体収容容器１０Ｆの容器本体１１から分離することによって、落下によって受ける衝撃力を分散させることができ、液体収容容器１０Ｆの破損が抑制される。その他に、第６実施形態の液体収容容器１０Ｆによれば、第１実施形態の液体収容容器１０Ａと同様な種々の作用効果を奏することができる。
【０２３４】
Ｇ．第７実施形態：
図３４を参照して、第７実施形態の液体収容容器１０Ｇの構成を説明する。図３４は、第７実施形態の液体収容容器１０Ｇが液体消費装置５００の液体供給部５２０に装着されている状態を示す概略斜視図である。第７実施形態の液体収容容器１０Ｇの構成は、装着状態にある複数の液体収容容器１０Ｇ同士を連結する連結部１３０が設けられている点以外は、第１実施形態の液体収容容器１０Ａの構成とほぼ同じである。
【０２３５】
第７実施形態の液体収容容器１０Ｇは、第１実施形態で説明した液体消費装置５００に装着される。液体消費装置５００では、第１実施形態で説明したように、複数の液体収容容器１０Ｇが挿入方向と、つまり、液体収容容器１０Ｇの上壁面２３ｓから底壁面２４ｓに向かう方向と、に交差するＸ方向に配列された状態で並列に装着される。
【０２３６】
連結部１３０は、連結バー１３１と、バー支持部１３２と、によって構成される。連結バー１３１は、液体消費装置５００における液体収容容器１０Ｇの配置領域のＸ方向における幅と同程度、あるいは、その幅以上の長さを有する。連結バー１３１は、図示されているような板状の部材として構成される。連結バー１３１は、板状ではなく、棒状の部材として構成されてもよい。
【０２３７】
バー支持部１３２は、液体収容容器１０Ｇの第１部位１５に設けられている。バー支持部１３２は、液体収容容器１０Ｇが装着状態にあるときに、連結バー１３１を受け入れて支持するように構成されている。バー支持部１３２は、第１壁部２１から突出して設けられた鉤状の部位として構成されており、第１壁部２１から＋Ｙ方向に延びる基端部１３２ａと、当該基端部１３２ａから＋Ｚ方向に延びる先端部１３２ｂと、を有している。連結バー１３１は、基端部１３２ａの上に配置され、先端部１３２ｂと第２壁部２２とに挟まれて支持される。バー支持部１３２は、視認部３８における目盛３９の形成領域を避けて設けられていることが望ましい。
【０２３８】
連結バー１３１は、ユーザーによって、全ての液体収容容器１０Ｇが液体消費装置５００に装着されている状態において、各液体収容容器１０Ｇのバー支持部１３２にＸ方向に架設されるように配置される。これによって、液体消費装置５００では、装着状態にある液体収容容器１０Ｇ同士が連結された状態になる。
【０２３９】
このように、液体収容容器１０Ｇには、第１部位１５にある後端壁部である第２壁部２２側の第２端部１３に、自身と、液体消費装置５００に装着されている他の液体収容容器１０Ｇと、を連結する連結部１３０が設けられている。これによって、液体消費装置５００の駆動中に、一部の液体収容容器１０Ｇのみが抜き取られてしまうことを抑制することができる。また、ユーザーが一部の液体収容容器１０Ｇが装着されていない状態で液体消費装置５００の駆動を開始させてしまうことを抑制できる。その他に、第７実施形態の液体収容容器１０Ｇによれば、第１実施形態の液体収容容器１０Ａと同様な種々の作用効果を奏することができる。
【０２４０】
Ｈ．第８実施形態：
図３５および図３６を参照して、第８実施形態の液体収容容器１０Ｈの構成を説明する。図３５は、第８実施形態の液体収容容器１０Ｇの連結作業の様子を模式的に示す概略斜視図である。図３６は、第８実施形態の液体収容容器１０Ｇの連結状態が解除される様子を模式的に示す概略斜視図である。第８実施形態の液体収容容器１０Ｈの構成は、第７実施形態で説明した連結部１３０とは異なる構成を有する連結部１３５を備えている点以外は、第７実施形態の液体収容容器１０Ｇの構成とほぼ同じである。
【０２４１】
第８実施形態の液体収容容器１０Ｈは、第８実施形態の液体消費装置５００Ｈに装着される。液体消費装置５００Ｈは、以下に説明する点以外は、第１実施形態の液体消費装置５００とほぼ同じ構成を有している。液体消費装置５００Ｈは、キー部材５３０と、キー部材５３０が着脱されるキー部材取付部５３１と、を備える（図３５）。
【０２４２】
キー部材取付部５３１は、キー部材５３０の挿入を受け入れる液体消費装置５００Ｈの孔部として設けられている。キー部材取付部５３１は、容器挿入口５２１の近傍に設けられている。キー部材取付部５３１は、キー部材５３０の挿入を検出するキー検出部５３２を有する。キー検出部５３２は、キー部材取付部５３１に挿入されたキー部材５３０を光学的に検出するセンサーによって構成される。なお、キー検出部５３２は、キー部材５３０のキー部材取付部５３１に対する挿入・抜き取りによって電気的な導通状態を変化させるスイッチによって構成されてもよい。
【０２４３】
液体消費装置５００Ｈの制御部５１０は、キー検出部５３２の検出結果を用いて、液体消費装置５００Ｈが、キー部材５３０が取り付けられている状態か、取り外されている状態か、を判定する。制御部５１０は、キー部材５３０が液体消費装置５００Ｈに取り付けられているときには、液体消費装置５００Ｈの駆動を許容する。一方、制御部５１０は、キー部材５３０が液体消費装置５００Ｈから取り外されているときには、液体消費装置５００Ｈの駆動を禁止する。
【０２４４】
第８実施形態の連結部１３５は、連結バー１３６と、バー支持部１３７と、によって構成される。第８実施形態の連結バー１３６は、液体消費装置５００における液体収容容器１０Ｇの配置領域のＸ方向における幅より小さい長さを有する。連結バー１３６は、図示されているような棒状の部材として構成されてもよい。連結バー１３１は、棒状ではなく、第７実施形態の連結バー１３１のように板状の部材として構成されてもよい。
【０２４５】
第８実施形態のバー支持部１３７は、液体収容容器１０Ｈの第１部位１５において第４壁部２４から下方に突出するように設けられている。バー支持部１３７には、Ｘ方向に貫通する貫通孔１３８が設けられている。貫通孔１３８は、連結バー１３１を挿入可能な径を有している。また、貫通孔１３８の開口端部は、キー部材５３０の一部の挿入を受け入れることができる開口形状を有している。
【０２４６】
第８実施形態の液体消費装置５００Ｈでは、第１実施形態の液体消費装置５００と同様に、複数の液体収容容器１０Ｈが挿入方向に交差するＸ方向に配列された状態で並列に装着される（図３５）。連結バー１３６は、ユーザーによって、全ての液体収容容器１０Ｈが液体消費装置５００に装着されている状態において、各液体収容容器１０Ｈのバー支持部１３７の貫通孔１３８に挿入される。これによって、液体消費装置５００Ｈでは、装着状態にある液体収容容器１０Ｈ同士が連結された状態になる。この連結状態では、連結バー１３６は、その全体がバー支持部１３７の貫通孔１３８内に収納された状態にされる。
【０２４７】
連結部１３０による液体収容容器１０Ｈの連結状態を解除する際には、ユーザーは、キー部材５３０を用いる（図３６）。ユーザーは、キー部材取付部５３１に取り付けられていたキー部材５３０を抜き取り、キー部材５３０の一部をバー支持部１３７の貫通孔１３８に挿入し、連結バー１３６の一部を、キー部材５３０が挿入された側とは反対側から突出させる。これによって、ユーザーは、連結バー１３６をバー支持部１３７の貫通孔１３８から抜き取って、液体収容容器１０Ｈの連結状態を解除することが可能になる。
【０２４８】
液体消費装置５００Ｈには、キー部材５３０およびキー部材取付部５３１に代えて、あるいは、キー部材５３０およびキー部材取付部５３１とともに、それらと同様な機能を有する別のキー部材５３５および別のキー部材取付部５３６を有していてもよい。キー部材取付部５３６は、図３３に例示されているように、容器挿入口５２１の上方、かつ、＋Ｘ方向側に設けられていてよい。キー部材５３６は、対応するキー部材５３５の着脱を検出するキー検出部を有する（図示は省略）。また、キー部材５３５は、キー部材５３０と同様に、液体収容容器１０Ｈの連結状態の解除に用いることができるように構成される。なお、液体消費装置５００Ｈが２つのキー部材５３０，５３５を有する構成の場合には、制御部５１０は、少なくとも一方のキー部材５３０，５３５がキー部材取付部５３１，５３６から取り外されているときに、液体消費装置５００Ｈの駆動を禁止する。
【０２４９】
このように、第８実施形態の液体収容容器１０Ｈによれば、連結部１３５による連結状態は、液体消費装置５００Ｈから取り外されたキー部材５３０，５３６によって解除される。従って、ユーザーが連結部１３５による連結状態を解除しようとするときには、制御部５１０によって液体消費装置５００Ｈの駆動が禁止された状態になる。よって、液体消費装置５００Ｈから液体収容容器１０Ｈを抜き取る際に、誤って液体消費装置５００Ｈが駆動してしまうことが抑制される。その他に、第８実施形態の液体収容容器１０Ｈによれば、第７実施形態の液体収容容器１０Ｇや、第１実施形態の液体収容容器１０Ａと同様な種々の作用効果を奏することができる。
【０２５０】
Ｉ．他の実施形態：
上記の各実施形態で説明した種々の構成は、例えば、以下のように改変することも可能である。以下に説明する他の実施形態はいずれも、上記の実施形態と同様に、発明を実施するための形態の一例として位置づけられる。
【０２５１】
Ｉ１．フィルターに関する他の実施形態：
（１）上記の各実施形態の液体収容容器１０Ａ〜１０Ｈにおいて、フィルター７２，７２Ｃは、フィルター室７１に配置されていなくてもよい。フィルター７２，７２Ｃは、例えば、出口流路７８の中に配置されていてもよい。
【０２５２】
（２）上記の各実施形態の液体収容容器１０Ａ〜１０Ｈにおいて、フィルター７２，７２Ｃは、厚み方向に沿って見たときの外周形状が略平行四辺形でなくてもよく、例えば、台形形状であってもよい。また、フィルター７２，７２Ｃは細孔を有する膜状の部材によって構成されていなくてもよい。フィルター７２，７２Ｃは、例えば、円柱状や矩形状の多孔質部材によって構成されてもよい。
【０２５３】
（３）上記の各実施形態の液体収容容器１０Ａ〜１０Ｈにおいて、フィルター７２，７２Ｃは、自身の内部を重力方向とは反対の方向に液体が通過するように設置されていなくてもよい。フィルター７２，７２Ｃは、例えば、自身の内部を液体が水平方向に通過するように設置されていてもよい。フィルター７２，７２Ｃは装着状態において水平方向に対して傾斜するようにフィルター室７１に設置されていてもよい。これによって、フィルター７２，７２Ｃによって除去された異物や気泡をフィルター７２，７２Ｃの傾斜している表面に沿って誘導して集めることができる。
【０２５４】
（４）上記の各実施形態の液体収容容器１０Ａ〜１０Ｈにおいて、フィルター室７１は、収容室３１の下方に設けられていなくてもよい。フィルター室７１は、収容室３１の底面３１ｂ，３１Ｂよりも上方の位置に設けられていてもよい。例えば、フィルター室７１は、第６壁部２６の内部に設けられていてもよい。フィルター室７１に連通する第１連通口７６ａまたは第２連通口７６ｂのいずれか一方は省略されてもよい。
【０２５５】
（５）上記の各実施形態の液体収容容器１０Ａ〜１０Ｈにおいて、フィルター室７１の底面には、フィルター７２への異物の到達を抑制するためのリブや凹凸構造が設けられていてもよい。上記の各実施形態の液体収容容器１０Ａ〜１０Ｈにおいて、フィルター室７１よりも下流に、収容室３１の液体量の不足を検出するセンサー部が設けられてもよい。そのセンサー部は、収容室３１の液体量に応じて変位して開閉する弁体によって構成されてもよい。
【０２５６】
Ｉ２．視認部に関する他の実施形態：
（１）上記の各実施形態の液体収容容器１０Ａ〜１０Ｈにおいて、内側目盛３９ｉは、１つのみ設けられていてもよい。内側目盛３９ｉは、下限目盛３９Ｌのみ設けられていてもよいし、収容室３１における液体の収容量の上限を示す上限目盛のみが設けられてもよい。
【０２５７】
（２）上記の各実施形態の液体収容容器１０Ａ〜１０Ｈにおいて、内側目盛３９ｉは、第６壁部２６と第２壁部２２との間の角部のリブとして設けられていなくてもよい。内側目盛３９ｉは、第６壁部２６と第２壁部２２のうちの少なくとも一方にのみ連結するようにもうけられていてもよい。内側目盛３９ｉを構成するリブは、略三角形状を有していなくてもよく、他の形状を有していてもよい。内側目盛３９ｉを構成するリブは略四角形状を有していてもよい。内側目盛３９ｉは、第２壁部２２の内壁面２４ｉの凸部や凹部、内壁面２４ｉに貼付されたシール、内壁面２４ｉに付着されたインクなどによって構成されてもよい。
【０２５８】
（３）上記の各実施形態の液体収容容器１０Ａ〜１０Ｈにおいて、内側目盛３９ｉは、−Ｘ方向または−Ｙ方向の少なくとも一方に向かって下降傾斜するリブとして構成されていてもよい。これによって、当該リブの上面の液体を重力によって、収容室３１の底面３１ｂへと誘導することができるため、当該上面に液体が残留してしまうことが抑制される。
【０２５９】
（４）上記の各実施形態の液体収容容器１０Ａ〜１０Ｈにおいて、外側目盛３９ｏは、第２壁部２２の外壁面２２ｏの凹部や、外壁面２２ｏに貼付されたシール、外壁面２２ｏに付着されたインクなどによって構成されてもよい。外側目盛３９ｏを外壁面２２ｏの凹部として構成した場合には、外側目盛３９ｏを外壁面２２ｏの凸部として構成した場合と同様に、外壁面２２ｏに付着して下方に伝って行く液体を受け止めさせることができる。従って、液体が手掛け部４０へと液体が到達することを抑制できる。外側目盛３９ｏは、容器蓋部材６２に設けられていてもよい。外側目盛３９ｏは、上限目盛を含んでいてもよい。
【０２６０】
（５）上記の各実施形態の液体収容容器１０Ａ〜１０Ｈにおいて、目盛３９は、Ｘ方向に沿って延びる直線状の形状を有していなくてもよい。目盛３９は、例えば、略半球形状の凹凸や、円形形状、三角形状など種々の形状の図形によって構成されてもよい。
【０２６１】
Ｉ３．大気導入部に関する他の実施形態：
（１）上記の液体収容容器１０Ａ〜１０Ｈにおいて、大気導入部１１０は収容室３１の上方にもうけられていなくてもよい。大気導入部１１０は、例えば、収容室３１のＺ方向における中央の位置において、第６壁部２６の内部に設けられていてもよい。収容室大気口１１１は、収容室３１の長手方向における中央部位に設けられていなくてもよい。収容室大気口１１１は、例えば、第１壁部２１よりも第２壁部２２に寄った位置に設けられていてもよい。
【０２６２】
（２）上記の液体収容容器１０Ａ〜１０Ｈにおいて、収容室大気口１１１は、第１大気通路部１２１の＋Ｙ方向側の端部よりも通路仕切壁１１６に近い位置に設けられていてもよい。容器大気口１１２は、第２大気通路部１２２の−Ｙ方向側の端部よりも通路仕切壁１１６に近い位置において、第２大気通路部１２２に接続されていてもよい。
【０２６３】
（３）上記の液体収容容器１０Ａ〜１０Ｈにおいて、大気導入部１１０の通路仕切壁１１６は省略されてもよい。大気連通部１１７は、通路仕切壁１１６の上端に設けられていなくてもよい。大気連通部１１７は、例えば、通路仕切壁１１６の中央に設けられていてもよい。
【０２６４】
Ｉ４．手掛け部に関する他の実施形態：
上記の各実施形態の液体収容容器１０Ａ〜１０Ｈにおいて、手掛け部４０は、第４壁部２４の底壁面２４ｓにおける凹部として設けられていなくてもよい。手掛け部４０は、手掛け部４０は、例えば、ユーザーが指を掛けやすい凸部として設けられていてもよい。手掛け部４０は、容器本体１１に取り付けられた持ち手として構成されていてもよい。持ち手は、容器本体１１の内部に収納可能に構成されていてもよい。手掛け部４０は、例えば、ユーザーの手が滑りにくくなるように、底壁面２４ｓにおいて他の部位よりも摩擦係数が高い部位として設けられていてもよい。手掛け部４０は、底壁面２４ｓに設置された板状のゴム部材を設置することによって構成されていてもよい。手掛け部４０は、底壁面２４ｓをシボ加工した領域として設けられていてもよい。手掛け部４０は、例えば、底壁面２４ｓにおいて他の部位よりも軟らかく、良好な触感が得られる部位として設けられていてもよい。手掛け部４０の周囲には、ユーザーに、触覚によって手掛け部４０の位置を認識させるための構造物が設けられていてもよい。当該構造物は、例えば、手掛け部４０の周囲を囲む凸部または凹部、手掛け部４０の周囲の一部に設けられた凸部または凹部によって構成されてもよい。なお、当該構造物が設けられることによって、手掛け部４０へと液体が伝って行くことも抑制される。
【０２６５】
Ｉ５．レール部に関する他の実施形態：
（１）上記の各実施形態の液体収容容器１０Ａ〜１０Ｈにおいて、レール部４１，４２の少なくとも一方は省略されてもよい。レール部４１，４２は、Ｙ方向において複数に分断されていてもよい。
【０２６６】
（２）上記の各実施形態の液体収容容器１０Ａ〜１０Ｈにおいて、レール部４１，４２は、上壁面２３ｓおよび底壁面２４ｓにおいて、Ｘ方向における中央部位に設けられていなくてもよい。レール部４１，４２は、上壁面２３ｓおよび底壁面２４ｓにおいて、第５壁部２５や第６壁部２６に寄った位置に設けられていてもよい。
【０２６７】
（３）上記の各実施形態の液体収容容器１０Ａ〜１０Ｈにおいて、容器蓋部材６２は、周縁壁部６７の端面６７ｔ以外の部位でレール部４１，４２に当接して、開口筐体部材６０に対する位置決めがおこなわれてもよい。容器蓋部材６２は、周縁壁部６７とは別に設けられたＸ方向に延び出ている凸部などによって、レール部４１，４２に当接して、開口筐体部材６０に対する位置決めがおこなわれてもよい。
【０２６８】
Ｉ６．内壁部に関する他の実施形態：
（１）上記の各実施形態の液体収容容器１０Ａ〜１０Ｈにおいて、内壁部６５，６５Ｄ，６５ａ，６５ｂは、その表面に、液体の流れを制御するための凹凸構造や、液体中に含まれる異物を捕捉するための凹凸構造が設けられてもよい。
【０２６９】
（２）上記の各実施形態の液体収容容器１０Ａ〜１０Ｈにおいて、内壁部６５，６５Ｄ，６５ａ，６５ｂは、平板状の壁部として設けられている。これに対して、内壁部６５，６５Ｄ，６５ａ，６５ｂの形状は、平板状に限定されることはない。内壁部６５，６５Ｄ，６５ａ，６５ｂは、湾曲面や、屈曲部を有する壁部として設けられてもよい。
【０２７０】
（３）上記の各実施形態の液体収容容器１０Ａ〜１０Ｈにおいて、内壁部６５，６５Ｄ，６５ａ，６５ｂは、液体入口３５の下方において垂下するように設けられている。これに対して、内壁部６５，６５Ｄ，６５ａ，６５ｂは、液体入口３５からＹ方向に離れた位置に設けられていてもよい。
【０２７１】
（４）上記の各実施形態の液体収容容器１０Ａ〜１０Ｈにおいて、内壁部６５，６５Ｄ，６５ａ，６５ｂの端部凸部１０１は省略されてもよい。端部凸部１０１は、内壁部６５の壁面から＋Ｙ方向側に突起していなくてもよく、−Ｙ方向側に突起していてもよい。端部凸部１０１は、内壁部６５の壁面から＋Ｙ方向側と−Ｙ方向側の両方に突起していてもよい。
【０２７２】
（５）内壁部６５，６５Ｄ，６５ａ，６５ｂの上端の連通部１０２は省略されてもよいし、内壁部６５，６５Ｄ，６５ａ，６５ｂの上端以外の他の部位において内壁部６５，６５Ｄ，６５ａ，６５ｂを貫通する貫通孔として設けられていてもよい。連通部１０２は、内壁部６５，６５Ｄ，６５ａ，６５ｂの上端と収容室３１の上面３１ｕとの間のスリット状の隙間として構成されていてもよい。
【０２７３】
（６）上記の各実施形態の液体収容容器１０Ａ〜１０Ｈにおいて、内壁部６５，６５Ｄ，６５ａ，６５ｂは、第６壁部２６の内壁面２６ｓに連結されていなくてもよいし、フィルム部材６３に溶着されていなくてもよい。内壁部６５，６５Ｄ，６５ａ，６５ｂは、収容室３１の上面３１ｕに連結されていなくてもよい。内壁部６５，６５Ｄ，６５ａ，６５ｂは、収容室３１の上面３１ｕから離れた位置であって、Ｚ方向において上面３１ｕ側の位置から底面３１ｂに向かって垂下するように構成されていてもよい。
【０２７４】
（７）上記の各実施形態の液体収容容器１０Ａ〜１０Ｈにおいて、収容室３１の内部には、内壁部６５，６５Ｄ，６５ａ，６５ｂ以外の液体の流れを制御するための壁部が設けられていてよい。上記の各実施形態の液体収容容器１０Ａ〜１０Ｈにおいて、内壁部６５，６５Ｄ，６５ａ，６５ｂは、省略されてもよい。
【０２７５】
Ｉ７．容器本体に関する他の実施形態：
（１）上記の各実施形態の液体収容容器１０Ａ〜１０Ｈにおいて、開口筐体部材６０に溶着されるフィルム部材６３は省略されてもよい。この場合には、例えば、開口筐体部材６０と容器蓋部材６２との間に収容室３１のシール性を確保するためのシール部を設けるものとしてもよい。
【０２７６】
（２）上記の各実施形態の液体収容容器１０Ａ〜１０Ｈにおいて、容器本体１１は、略直方体形状以外の形状を有していてもよい。例えば、容器本体１１は、Ｘ方向に見たときの外周輪郭が略楕円形を有する形状を有していてもよい。収容室３１の補強壁部６４は省略されてもよい。また、収容室３１には、補強壁部６４とは異なる構成を有する補強リブが設けられてもよい。
【０２７７】
Ｉ８．蓋部材に関する他の実施形態：
（１）上記の各実施形態の液体収容容器１０Ａ〜１０Ｈにおいて、蓋部材８５は、Ｘ方向に沿った回動軸ＲＸを中心に回動している。これに対して、蓋部材８５は、Ｙ方向やＺ方向に沿った回動軸ＲＸを中心に回動してもよい。蓋部材８５は、容器本体１１に回動可能に連結されていなくてもよい。蓋部材８５は、紐状の部材によって容器本体１１に連結されていてもよいし、容器本体１１から分離されるように構成されていてもよい。
【０２７８】
（２）上記の各実施形態の液体収容容器１０Ａ〜１０Ｈにおいて、蓋部材８５のシール部材８８や、外面凸部９０、封止面側凹部９１、突起部９５、蓋部材８５を支持するストッパー部８９は省略されてもよい。上記の各実施形態の液体収容容器１０Ａ〜１０Ｈにおいて、蓋部材８５は省略されてもよい。
【０２７９】
Ｉ９．液体消費装置に関する他の実施形態：
（１）上記の各実施形態において、液体収容容器１０Ａ〜１０Ｈは、液体消費装置５００，５００Ｈに対して、−Ｙ方向以外の他の重力方向に交差する方向に挿入されて装着されてもよい。液体収容容器１０Ａ〜１０Ｈは、例えば、液体消費装置５００，５００Ｈに対して、＋Ｙ方向や、±Ｘ方向に挿入されてもよいし、水平面に対して斜めの方向に挿入されてもよい。
【０２８０】
（２）上記の各実施形態において、液体収容容器１０Ａ〜１０Ｈは、液体消費装置５００，５００Ｈに対して、Ｘ方向以外の挿入方向に交差する方向に配列された状態で並列に装着されてもよい。液体収容容器１０Ａ〜１０Ｈは、例えば、Ｚ方向に配列された状態で、液体消費装置５００，５００Ｈに装着されてもよい。
【０２８１】
（３）上記の第７実施形態および第８実施形態を除く各実施形態において、液体消費装置５００は、複数の液体収容容器１０Ａ〜１０Ｆを装着可能に構成されていなくてもよい。液体消費装置５００は、例えば、単一の液体収容容器１０Ａ〜１０Ｆのみを装着可能に構成されていてもよい。
【０２８２】
（４）上記の各実施形態の液体消費装置５００，５００Ｈにはそれぞれ、同じ構成の液体収容容器１０Ａ〜１０Ｈが複数、装着されている。これに対して、液体消費装置５００，５００Ｈには、液体収容容器１０Ａ〜１０Ｈとともに、異なる構成の液体収容容器が装着されてもよい。例えば、液体消費装置５００，５００Ｈには、液体入口３５を有する液体収容容器１０Ａ〜１０Ｈとともに、液体入口３５を有しておらず、未使用時から収容されている液体を使い切るタイプの液体収容容器が装着されてもよい。
【０２８３】
（５）上記の各実施形態の液体収容容器１０Ａ〜１０Ｈの構成は、インクジェットプリンター以外の液体消費装置に装着される液体収容容器に適用されていてもよい。例えば、液体洗剤を消費する洗浄装置に装着される液体収容容器に適用されてもよい。
【０２８４】
Ｉ１０．その他：
（１）上記の各実施形態の液体収容容器１０Ａ〜１０Ｈにおいて、第１壁部２１の３つの凹部５５ａ，５５ｂ，５５ｃのうち、第２凹部５５ｂは、ロッド５２５が挿入されることによって位置決め部として機能している（図１７）。上記の各実施形態の液体収容容器１０Ａ〜１０Ｈでは、第１壁部２１の第１凹部５５ａ，第３凹部５５ｃの少なくとも一つが、第２凹部５５ｂと同様に、ロッド５２５と同様な突起部が挿入される位置決め部として機能してもよい。また、第２凹部５５ｂは、位置決め部としての機能を有していなくてもよく、ロッド５２５が挿入されなくてもよい。
【０２８５】
（２）上記の各実施形態の液体収容容器１０Ａ〜１０Ｈにおいて、フィルター７２，７２Ｃ、手掛け部４０、レール部４１，４２、周縁壁部６７，６８、大気導入部１１０は省略されてもよい。上記の各実施形態の液体収容容器１０Ａ〜１０Ｈにおいて、電気的接続部５０、位置決め凹部５５、液体受部８０、凸壁部８２、第１支持凹部８２ｒ、第２支持凹部９８は省略されてもよい。
【０２８６】
本発明は、上述の実施形態や他の実施形態、実施例、変形例に限られるものではなく、その趣旨を逸脱しない範囲において種々の構成で実現することができる。例えば、発明の概要の欄に記載した各形態中の技術的特徴に対応する実施形態、他の実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須ではないと説明されているものに限らず、その技術的特徴が本明細書中に必須であると説明されていなければ、適宜、削除することが可能である。
【符号の説明】
【０２８７】
１０Ａ…液体収容容器、１０Ｂ…液体収容容器、１０Ｃ…液体収容容器、１０Ｄ…液体収容容器、１０Ｅ…液体収容容器、１０Ｆ…液体収容容器、１０Ｇ…液体収容容器、１０Ｈ…液体収容容器、１１…容器本体、１２…第１端部、１３…第２端部、１５…第１部位、１６…第２部位、２１…第１壁部、２２…第２壁部、２２ｉ…内壁面、２２ｏ…外壁面、２３…第３壁部、２３ｓ…上壁面、２４…第４壁部、２４ｉ…内壁面、２４ｓ…底壁面、２５…第５壁部、２６…第６壁部、２６ｓ…内壁面、３１…収容室、３１ｂ…底面、３１ｂＢ…底面、３１ｓ…段差、３１ｕ…上面、３３…液体出口、３３ｐ…管部、３４…出口収納凹部、３５…液体入口、３６…入口周囲壁部、３６ｓ…上端面、３８…視認部、３９…目盛、３９Ｌ…下限目盛、３９ｉ…内側目盛、３９ｏ…外側目盛、４０…手掛け部、４１…第１レール部、４２…第２レール部、５０…電気的接続部、５１…凹部、５１ｓ…傾斜面、５２…基板面、５３…電極板、５４…電気回路部、５５…凹部、５５ａ…第１凹部、５５ｂ…第２凹部、５５ｃ…第３凹部、５６…底部、６０…開口筐体部材、６０Ｂ…開口筐体部材、６０ｗ…壁部、６１ａ…第１凹部（収容室凹部）、６１ｂ…第２凹部、６１ｃ…第３凹部、６２…容器蓋部材、６３…フィルム部材、６４…補強壁部、６５…内壁部、６５Ｄ…内壁部、６５ａ…第１内壁部、６５ｂ…第２内壁部、６５ｅ…下端、６６…本体壁部、６６ｅ…外周端部、６７…第１の周縁壁部、６７ｅ…端部部位、６７ｆ…フィルター室壁部、６７ｔ…端面、６８…第２の周縁壁部、６８ｅ…上端部、７０…流路、７１…フィルター室、７１ｄ…下流側空間、７１ｕ…上流側空間、７２…フィルター、７２Ｃ…フィルター、７３…リブ、７４…フィルム部材、７５…フィルター支持壁、７６ａ…第１連通口、７６ｂ…第２連通口、７８…出口流路、７９…補強リブ、８０…液体受部、８１…液体受部仕切壁、８２…凸壁部、８２ｒ…第１支持凹部、８５…蓋部材、８６…連結部、８７ｏ…外面、８７ｓ…封止面、８８…シール部材、８９…ストッパー部、８９ｓ…傾斜面、９０…外面凸部、９１…封止面側凹部、９３…係止部、９３ｃ…爪部、９４…被係止部、９５…突起部、９６…溝部、９６ｔ…底部、９８…第２支持凹部、１０１…端部凸部、１０２…連通部、１１０…大気導入部、１１１…収容室大気口、１１２…容器大気口、１１３…大気通路、１１５…貫通流路、１１６…通路仕切壁、１１７…大気連通部、１１８…傾斜壁面、１２１…第１大気通路部、１２２…第２大気通路部、１２３…通路リブ、１２５…コネクターユニット、１２６…係合部、１３０…連結部、１３１…連結バー、１３２…バー支持部、１３２ａ…基端部、１３２ｂ…先端部、１３５…連結部、１３６…連結バー、１３７…バー支持部、１３８…貫通孔、５００…液体消費装置、５００Ｈ…液体消費装置、５０１…装置本体部、５０２…脚部、５０３…車輪、５１０…制御部、５１１…ヘッド、５１２…キャリッジ、５１３…チューブ、５１５…挿入口、５１６…媒体収容部、５１７…排出口、５１８…操作部、５１８ｂ…操作ボタン、５１８ｉ…表示部、５２０…液体供給部、５２１…容器挿入口、５２２…ガイド溝、５２３…液体供給管、５２４…吸引ポンプ、５２５…ロッド、５２６…装置側端子部、５２７…接続端子、５２８…識別部材、５３０…キー部材、５３１…キー部材取付部、５３２…キー検出部、５３５…別のキー部材、５３６…別のキー部材取付部、６００…液体注入用具、６０１…袋状部材、６０２…注ぎ口、６０３…張出部、Ａ１，Ａ２…領域、ＣＡ…接触領域、ＣＸ…中心軸、ＨＸ…軸線、ＰＡ…通過領域、ＰＸ…軸線、ＲＸ…回動軸、ｃ１…第１の角部、ｃ２…第２の角部、ｃ３…第３の角部、ｃ４…第４の角部、ｆ１…第１フィルター層、ｆ２…第２フィルター層、ｓ１…第１の辺、ｓ２…第２の辺
【図１】
2019018367.tif 000003
【図２】
2019018367.tif 000004
【図３】
2019018367.tif 000005
【図４】
2019018367.tif 000006
【図５】
2019018367.tif 000007
【図６】
2019018367.tif 000008
【図７】
2019018367.tif 000009
【図８】
2019018367.tif 000010
【図９】
2019018367.tif 000011
【図１０】
2019018367.tif 000012
【図１１】
2019018367.tif 000013
【図１２】
2019018367.tif 000014
【図１３】
2019018367.tif 000015
【図１４】
2019018367.tif 000016
【図１５】
2019018367.tif 000017
【図１６】
2019018367.tif 000018
【図１７】
2019018367.tif 000019
【図１８】
2019018367.tif 000020
【図１９】
2019018367.tif 000021
【図２０】
2019018367.tif 000022
【図２１】
2019018367.tif 000023
【図２２】
2019018367.tif 000024
【図２３】
2019018367.tif 000025
【図２４Ａ】
2019018367.tif 000026
【図２４Ｂ】
2019018367.tif 000027
【図２５】
2019018367.tif 000028
【図２６】
2019018367.tif 000029
【図２７】
2019018367.tif 000030
【図２８】
2019018367.tif 000031
【図２９】
2019018367.tif 000032
【図３０】
2019018367.tif 000033
【図３１Ａ】
2019018367.tif 000034
【図３１Ｂ】
2019018367.tif 000035
【図３２Ａ】
2019018367.tif 000036
【図３２Ｂ】
2019018367.tif 000037
【図３３】
2019018367.tif 000038
【図３４】
2019018367.tif 000039
【図３５】
2019018367.tif 000040
【図３６】
2019018367.tif 000041